(57)【要約】配信側にて配信データを編集せずに端末装置にて配信データを編集することにより、コストを低減することができるとともに必要な情報を迅速に探すことができる端末装置。この装置では、セルＩＤ抽出部（１０４）は、現在受信可能な全てのセルＩＤを抽出する。データ受信部（１０５）は、配信データを抽出する。データソート部（１０６）は、配信データに関係付けられたセルＩＤと現在受信可能なセルＩＤとを比較して、自セルのセルＩＤと同一のセルＩＤに関係付けられた配信データを優先度「高」とし、自セルから遠い他セルのセルＩＤに関係付けられている配信データほど優先度が低くなるように配信データに優先度を付与する。表示部（１０８）は、優先度が高い配信データから優先度が低い配信データまでを順次先頭から表示する。【特許請求の範囲】
【請求項１】
セルにて特定される領域を識別するための情報であるセル情報を含む配信データを受信する受信手段と、
前記受信手段にて受信された前記配信データに含まれる前記セル情報と自局が属する前記領域の情報とに基づいて前記配信データの優先度を決定するとともに前記優先度が高い配信データから順番に並べるデータソート手段と、
前記データソート手段にて並べられた順番に前記配信データを表示する表示手段と、
を具備する端末装置。
【請求項２】
前記受信手段は、複数のセルにて特定される前記領域の前記セル情報を含む前記配信データを受信し、
前記データソート手段は、自局が属する前記領域の前記セル情報を含む前記配信データを最も優先度が高いものとする請求項１記載の端末装置。
【請求項３】
前記受信手段は、１つのセルにて特定される前記領域の前記セル情報を含む前記配信データを受信し、
前記データソート手段は、前記セル情報と自局が属する前記領域である自セルの情報とに基づいて前記配信データの優先度を決定する請求項１記載の端末装置。
【請求項４】
前記データソート手段は、自セルを示す前記セル情報を含む前記配信データの優先度を最も高くするとともに、他セルを示す前記セル情報を含む前記配信データの内、自セルから遠いセルほど優先度を低くするように前記配信データを並べる請求項３記載の端末装置。
【請求項５】
前記受信手段は、前記セル情報よりも狭いエリア毎の位置を示す情報である位置情報と前記セル情報とを含む前記配信データを受信し、
前記データソート手段は、自セルを示す前記セル情報を含む前記配信データの内、前記位置情報の位置が自分の位置に近いほど優先度を高くするように前記配信データを並べる請求項３記載の端末装置。
【請求項６】
受信信号より各セルにおける受信信号強度を測定する受信信号強度測定手段を具備し、
前記データソート手段は、前記受信信号強度測定手段にて測定された受信信号強度が大きいセルを示す前記セル情報を含む前記配信データほど優先度を高くするように前記配信データを並べる請求項３記載の端末装置。
【請求項７】
前記表示手段は、前記優先度がしきい値以上の前記配信データを表示する請求項３記載の端末装置。
【請求項８】
前記優先度がしきい値以上の前記配信データを前記表示手段にて表示させる一部表示モードと、受信した全ての前記配信データを前記表示手段にて表示させる全部表示モードとを選択する表示切り替え手段を具備し、
前記表示手段は、前記表示切り替え手段にて前記一部表示モードが選択された場合には前記優先度がしきい値以上の配信データを表示し、前記表示切り替え手段にて前記全部表示モードが選択された場合には受信した全ての配信データを表示する請求項３記載の端末装置。
【請求項９】
自セルの情報と、前記受信手段にて受信された前記配信データに含まれる前記セル情報及び放送番組のデータを配信するチャンネルの情報であるチャンネル情報とに基づいてチャンネルを選択するチャンネル選択手段を具備し、
前記表示手段は、前記チャンネル選択手段にて選択された前記チャンネルを用いて配信される前記放送番組のデータを最初に表示する請求項３記載の端末装置。
【請求項１０】
前記チャンネル選択手段は、自セルの前記セル情報を含む前記配信データに含まれる前記チャンネル情報のチャンネルを選択する請求項９記載の端末装置。
【請求項１１】
請求項３記載の端末装置へ前記配信データを送信する配信サーバーであって、
前記配信サーバーは、
前記セル情報をコンテンツに含める位置情報付与手段と、
前記位置情報付与手段にて前記セル情報が含められた前記コンテンツを前記配信データとして前記端末装置へ送信する送信手段と、
を具備する配信サーバー。
【請求項１２】
セルにて特定される領域を識別するための情報であるセル情報を含む配信データを受信するステップと、
受信された前記配信データに含まれる前記セル情報と自局が属する前記領域の情報とに基づいて前記配信データの優先度を決定するとともに前記優先度が高い配信データから順番に並べるステップと、
並べられた順番に前記配信データを表示するステップと、
を具備する受信データ表示方法。
【請求項１３】
複数のセルにて特定される前記領域の前記セル情報を含む前記配信データを受信し、
自局が属する前記領域の前記セル情報を含む前記配信データを最も優先度が高いものとする請求項１２記載の受信データ表示方法。
【請求項１４】
１つのセルにて特定される前記領域の前記セル情報を含む前記配信データを受信し、
前記セル情報と自局が属する前記領域である自セルの情報とに基づいて前記配信データの優先度を決定する請求項１２記載の受信データ表示方法。
【請求項１５】
自セルを示す前記セル情報を含む前記配信データの優先度を最も高くするとともに、他セルを示す前記セル情報を含む前記配信データの内、自セルから遠いセルほど優先度を低くするように前記配信データを並べる請求項１４記載の受信データ表示方法。
【請求項１６】
前記セル情報よりも狭いエリア毎の位置を示す情報である位置情報と前記セル情報とを含む前記配信データを受信し、
自セルを示す前記セル情報を含む前記配信データの内、前記位置情報の位置が自分の位置に近いほど優先度を高くするように前記配信データを並べる請求項１４記載の受信データ表示方法。
【請求項１７】
受信信号より各セルにおける受信信号強度を測定するステップを具備し、
測定された受信信号強度が大きいセルを示す前記セル情報を含む前記配信データほど優先度を高くするように前記配信データを並べる請求項１４記載の受信データ表示方法。
【請求項１８】
前記優先度がしきい値以上の前記配信データを表示する請求項１４記載の受信データ表示方法。
【請求項１９】
前記優先度がしきい値以上の前記配信データを表示させる一部表示モードと、受信した全ての前記配信データを表示させる全部表示モードとを選択するステップを具備し、
前記一部表示モードが選択された場合には前記優先度がしきい値以上の配信データを表示し、前記全部表示モードが選択された場合には受信した全ての配信データを表示する請求項１４記載の受信データ表示方法。
【請求項２０】
自セルの情報と、受信された前記配信データに含まれる前記セル情報及び放送番組のデータを配信するチャンネルの情報であるチャンネル情報とに基づいてチャンネルを選択するステップを具備し、
選択された前記チャンネルを用いて配信される前記放送番組のデータを最初に表示する請求項１４記載の受信データ表示方法。
【請求項２１】
自セルの前記セル情報を含む前記配信データに含まれる前記チャンネル情報のチャンネルを選択する請求項２０記載の受信データ表示方法。
【発明の詳細な説明】
【技術分野】
【０００１】  本発明は、端末装置及び受信データ表示方法に関し、例えば配信サーバーから端末装置へ広告等の配信データが配信されるサービスに用いられる端末装置及び受信データ表示方法に関する。
【背景技術】
【０００２】  第３世代移動通信システムにおいて、複数の携帯電話に同時に配信データを送信する放送サービスが知られている（例えば、特許文献１）。【０００３】  図１は、従来の配信データを送信する放送サービスにおける通信システムの構成を示すブロック図である。図１において、位置情報送信装置１０は、送受信部１１、制御部１２、記憶部１３及び位置取得部１４を備える。【０００４】  送受信部１１は、位置情報及び位置情報に依存したメッセージ情報等の移動関連情報の送受信の際に用いられる。制御部１２は、時計及びＣＰＵ等を備え、各部の統括的な制御を行う。記憶部１３には、移動関連情報が、各送信条件に関連付けされた状態で記憶されている。【０００５】  位置取得部１４は、位置測定装置１５が複数の人工衛星等から送信される複数の電波を受信し、それら受信した電力値から移動体１６の移動位置を算出し、その算出データから位置情報を作成し、その位置情報を記憶部１３に渡す。携帯端末１７は、位置情報送信装置１０から、送信条件に基づいた所望の移動関連情報を受信する。
【特許文献１】特開２００２−１６５２６４号公報
【発明の開示】
【発明が解決しようとする課題】
【０００６】  しかしながら、従来の端末装置及び受信データ表示方法は、配信側にて測定した移動体の位置に基づいて配信側にて個別に移動体毎の配信データを編集する必要があるので、コストがかかるという問題がある。また、従来の端末装置及び受信データ表示方法は、コストを低減するために配信側が個別に編集せずに配信データを配信する場合には、移動体にて受信した配信データを閲覧するユーザは、受信した全ての配信データの中から必要な情報を探す必要が生じるので、必要な情報を迅速に探すことができないという問題がある。【０００７】  本発明の目的は、配信側にて配信データを編集せずに端末装置にて配信データを編集することにより、コストを低減することができるとともに必要な情報を迅速に探すことができる端末装置及び受信データ表示方法を提供することである。
【課題を解決するための手段】
【０００８】  本発明の端末装置は、セルにて特定される領域を識別するための情報であるセル情報を含む配信データを受信する受信手段と、前記受信手段にて受信された前記配信データに含まれる前記セル情報と自局が属する前記領域の情報とに基づいて前記配信データの優先度を決定するとともに前記優先度が高い配信データから順番に並べるデータソート手段と、前記データソート手段にて並べられた順番に前記配信データを表示する表示手段と、を具備する構成を採る。【０００９】  本発明の受信データ表示方法は、セルにて特定される領域を識別するための情報であるセル情報を含む配信データを受信するステップと、受信された前記配信データに含まれる前記セル情報と自局が属する前記領域の情報とに基づいて前記配信データの優先度を決定するとともに前記優先度が高い配信データから順番に並べるステップと、並べられた順番に前記配信データを表示するステップと、を具備するようにした。
【発明の効果】
【００１０】  本発明によれば、配信側にて配信データを編集せずに端末装置にて配信データを編集することにより、コストを低減することができるとともに必要な情報を迅速に探すことができる。
【図面の簡単な説明】
【００１１】
【図１】従来の配信サーバーの構成を示すブロック図
【図２】本発明の実施の形態１に係る端末装置の構成を示すブロック図
【図３】本発明の実施の形態１に係る配信サーバーの構成を示すブロック図
【図４】ネットワークを示す模式図
【図５】本発明の実施の形態１に係る配信データを示す図
【図６】本発明の実施の形態１に係る端末装置の動作を示すフロー図
【図７】本発明の実施の形態１に係る配信データを示す図
【図８】本発明の実施の形態１に係る配信データを示す図
【図９】本発明の実施の形態１に係る配信データを示す図
【図１０】本発明の実施の形態１に係る端末装置の表示部の表示を示す図
【図１１】本発明の実施の形態１に係る端末装置の表示部の表示を示す図
【図１２】本発明の実施の形態２に係る端末装置の構成を示すブロック図
【図１３】本発明の実施の形態２に係る配信データを示す図
【図１４】本発明の実施の形態２に係る端末装置の表示部の表示を示す図
【図１５】本発明の実施の形態２に係る端末装置の表示部の表示を示す図
【図１６】本発明の実施の形態３に係る端末装置の構成を示すブロック図
【図１７】本発明の実施の形態３に係る端末装置の動作を示すフロー図
【図１８】本発明の実施の形態３に係るデータソート用情報を示す図
【図１９】本発明の実施の形態４に係る端末装置の構成を示すブロック図
【図２０】本発明の実施の形態４に係る端末装置の表示部の表示を示す図
【図２１】本発明の実施の形態４に係る端末装置の表示部の表示を示す図
【図２２】本発明の実施の形態５に係る端末装置の構成を示すブロック図
【図２３】本発明の実施の形態５に係る配信データを示す図
【図２４】本発明の実施の形態５に係る端末装置の表示部の表示を示す図
【図２５】本発明の実施の形態６に係る端末装置の構成を示すブロック図
【図２６】本発明の実施の形態６に係る配信サーバーの構成を示すブロック図
【図２７】ネットワークエリアとセルとの関係を示す図
【発明を実施するための最良の形態】
【００１２】  以下、本発明の実施の形態について、図面を参照して詳細に説明する。【００１３】  （実施の形態１）
図２は、本発明の実施の形態１に係る端末装置１００の構成を示すブロック図である。【００１４】  無線受信部１０２は、アンテナ１０１にて受信した受信信号を無線周波数からベースバンド周波数へダウンコンバートしてデータ受信部１０５及び制御データ受信部１０３へ出力する。【００１５】  制御データ受信部１０３は、無線受信部１０２から入力した受信信号からアプリケーションデータ以外の全ての制御情報を抽出してセルＩＤ抽出部１０４へ出力する。【００１６】  セルＩＤ抽出部１０４は、制御データ受信部１０３から入力した制御情報より、現在端末装置１００が通信を行っている自セルのセルＩＤ（セル情報）を抽出して、抽出したセルＩＤの情報であるセルＩＤ情報をデータソート部１０６へ出力する。ここで、セルＩＤとは、セルを識別するＩＤであり、セル毎に異なる数値を示すように数値化されている。【００１７】  データ受信部１０５は、無線受信部１０２から入力した受信信号から配信データを抽出してデータソート部１０６へ出力する。データ受信部１０５にて抽出された配信データは、放送番組を選択するための番組選択メニューの情報である。【００１８】  データソート部１０６は、データ受信部１０５から入力した配信データに含まれるセルＩＤとセルＩＤ抽出部１０４から入力したセルＩＤとを比較する。そして、データソート部１０６は、比較結果に基づいて、データ受信部１０５から入力した配信データを並べてデータフォーマット部１０７へ出力する。具体的には、現在通信を行っている自セルのセルＩＤを含む配信データがあるか否かを判定するとともに、配信データに含まれているセルＩＤと自セルのセルＩＤとの差を求め、求めた差としきい値とを比較して、各配信データの優先度を決めて配信データを並べる。なお、自セルのセルＩＤを含む配信データのみを並べる場合には、しきい値情報は不要である。【００１９】  データフォーマット部１０７は、データソート部１０６から入力した配信データを、表示するための所定のフォーマットに変換して表示部１０８へ出力する。【００２０】  表示部１０８は、データフォーマット部１０７から入力した配信データを表示する。【００２１】  次に、配信サーバー２００の構成について、図３を用いて説明する。図３は、配信サーバー２００の構成を示すブロック図である。【００２２】  コンテンツ読込部２０１は、コンテンツ（文書、画像及び音声などのマルチメディアデータ）を読み込んでセルＩＤ付与部２０３へ出力する。ここで、コンテンツは、位置情報である緯度及び経度と関係付けられた任意の情報を複数含んでおり、例えば、店と店が所在する緯度及び経度とが関係付けられた情報、または地域ニュースとその地域の緯度及び経度とが関係付けられた情報からなる。【００２３】  地理情報記憶部２０２は、セルＩＤと緯度及び経度の範囲とを関係付けた変換情報を保存したテーブル、または緯度及び経度よりセルＩＤを求めることができる計算式を記憶している。【００２４】  セルＩＤ付与部２０３は、コンテンツ読込部２０１から入力したコンテンツより緯度情報及び経度情報を参照する。そして。セルＩＤ付与部２０３は、参照した緯度情報及び経度情報を用いて、地理情報記憶部２０２に記��されている変換情報を参照するかまたは計算式にて計算することによりセルＩＤを選択する。続いて、セルＩＤ付与部２０３は、各コンテンツの内容毎に選択したセルＩＤを各コンテンツに含めて送信部２０４へ出力する。【００２５】  送信部２０４は、セルＩＤ付与部２０３から入力したコンテンツを配信データとして送信する。【００２６】  次に、配信サーバー２００から送信された配信データを端末装置１００が受信するまでについて、図４及び図５を用いて説明する。【００２７】  図４より、セル＃３１０、＃３１１、＃３１２、＃３１３は、各々が１つのセルにて特定される領域である。配信サーバー２００は、配信データをコアネットワーク３０１へ出力する。配信データは、図５に示すように、例えばニュース情報＃４０１及びレストラン情報＃４０２である。ニュース情報＃４０１において、１行目の「東京学園甲子園出場」の番組選択メニューの情報には「０ｘ０Ｄ」のセルＩＤの情報＃４０１ａを含み、２行目の「都知事会見」の番組選択メニューの情報には「０ｘ０Ｄ」のセルＩＤの情報＃４０１ｂが含まれており、３行目の「横浜学院甲子園出場」の番組選択メニューの情報には「０ｘ０Ａ」、「０ｘ０Ｂ」及び「０ｘ０Ｃ」のセルＩＤの情報＃４０１ｃが含まれており、４行目の「県知事会見」の番組選択メニューの情報には「０ｘ０Ａ」、「０ｘ０Ｂ」及び「０ｘ０Ｃ」のセルＩＤの情報＃４０１ｄが含まれているとともに、５行目の「衆議院開票速報」の番組選択メニューには「＊」の表示により全てのセルＩＤの情報＃４０１ｅが含まれている。このように、各番組選択メニューの情報はセルＩＤの情報を含む。【００２８】  セルＩＤは、例えば１６進数にて表され、「０ｘ０Ａ」は１０進数に変換すると「１０」であり、「０ｘ０Ｂ」は１０進数に変換すると「１１」であるとともに「０ｘ０Ｃ」は１０進数に変換すると「１２」である。したがって、セルＩＤ間にて１６進数または１０進数の減算を行い、自セルのセルＩＤと他セルのセルＩＤとの減算結果が最も小さい他セルが、自セルに最も近い他セルであるものと判定することができる。なお、セルＩＤを１６進数にて表現する場合に限らず、２進数等の任意の数値によりセルＩＤを表すことが可能である。また、レストラン情報＃４０２もニュース情報＃４０１と同様であるのでその説明は省略する。【００２９】  次に、配信サーバー２００から配信された図５の配信データは、コアネットワーク３０１を介して各ネットワーク制御装置３０２ａ、３０２ｂに到着する。ネットワーク制御装置３０２ａ、３０２ｂは、複数の基地局装置に配信データを伝送することが可能であり、ネットワーク制御装置３０２ａはセル＃３１０（例えば湘南エリア）の基地局装置３０３ａへ配信データを伝送し、ネットワーク制御装置３０２ｂはセル＃３１１（例えば横浜エリア）の基地局装置３０３ｂ、セル＃３１２（例えば川崎エリア）の基地局装置３０３ｃ及びセル＃３１３（例えば品川エリア）の基地局装置３０３ｄへ配信データを伝送する。そして、各基地局装置は、セル内にて通信を行っている端末装置１００へ配信データを送信する。【００３０】  次に、配信データを受信した端末装置１００の動作について、図６〜図８を用い��説明する。図６は、端末装置１００の動作を示すフロー図であり、図７及び図８は、端末装置１００に表示するために配信される配信データを示す図である。【００３１】  最初に、端末装置１００は受信動作を開始して、例えば図５のような配信データにおいて、図７に示すレストラン情報の配信データを１件読み込み（ステップＳＴ５０１）、データ受信部１０５は配信データを抽出する。この場合、配信データは配信データの作成者が任意に決めた順序にて整列している。それと同時に、制御データ受信部１０３は、制御情報を抽出する。次に、セルＩＤ抽出部１０４は、自分が通信を行っている自セルのセルＩＤを抽出してセルＩＤを取得する。（ステップＳＴ５０２）。【００３２】  次に、データソート部１０６は、配信データに含まれるセルＩＤと抽出したセルＩＤとを比較して同一のセルＩＤであるか否かを判定する（ステップＳＴ５０３）。同一のセルＩＤである場合には、データソート部１０６は、同一のセルＩＤを含む配信データの優先度を「高」とする（ステップＳＴ５０４）。一方、同一のセルＩＤでない場合には、データソート部１０６は、配信データに含まれるセルＩＤと抽出したセルＩＤとの差がしきい値以下であるか否かを判定する（ステップＳＴ５０５）。配信データに含まれるセルＩＤと抽出したセルＩＤとの差がしきい値以下である場合には、データソート部１０６は、しきい値以下であるセルＩＤを含む配信データの優先度を「中」とする（ステップＳＴ５０６）。配信データに含まれるセルＩＤと抽出したセルＩＤとの差がしきい値以下でない場合には、データソート部１０６は、しきい値以下でないセルＩＤを含む配信データの優先度を「低」とする（ステップＳＴ５０７）。【００３３】  次に、データソート部１０６は、各優先度に基づいて配信データを並べる（ステップＳＴ５０８）。例えば、セルＩＤが「０ｘ０Ｂ」である横浜エリアのセル＃３１１にて通信を行っている端末装置１００が、図７のレストラン情報＃４０１を受け取った場合には、データソート部１０６は、「０ｘ０Ｂ」のセルＩＤを含む番組選択メニューの情報＃６０４を選択して優先度「高」とし、図８に示すように番組選択メニューの情報＃６０４を先頭に並べる。また、データソート部１０６は、セルＩＤ間の減算を行うことにより、横浜エリアのセル＃３１１に最も近いセルＩＤが「０ｘ０Ａ」である湘南エリアのセル＃３１０の番組選択メニューの情報＃６０５及びセルＩＤが「０ｘ０Ｃ」である川崎エリアのセル＃３１２の番組選択メニューの情報＃６０３を、番組選択メニューの情報＃６０４の次に並べる。また、データソート部１０６は、湘南エリアのセル＃３１０及び川崎エリアのセル＃３１２の次に横浜エリアのセル＃３１１に近いセルＩＤが「０ｘ０Ｄ」である品川エリアのセル＃３１３の番組選択メニューの情報＃６０２を、番組選択メニューの情報＃６０３の次に並べる。さらに、データソート部１０６は、横浜エリアのセル＃３１１から最も遠いセルＩＤが「０ｘ０Ｅ」であるお台場エリアの図示しないセルの番組選択メニューの情報＃６０１を、番組選択メニューの情報＃６０２の次に並べる。【００３４】  次に、データフォーマット部１０７は、配信データを所定のフォーマットに変換する。例えば、端末装置１００が図８に示すように配信データを並べた場合には、図８から汎用ＷＷＷブラウザにて表示できるような図９に示すＨＴＭＬ形式のフォーマットに変換する。次に、表示部１０８は、配信データを表示する（ステップＳＴ５０９）。次に、端末装置１００は、配信データの受信処理を終了するか否かを判定する（ステップＳＴ５１０）。受信処理を終了しない場合には、ステップＳＴ５０１〜ステップＳＴ５０９の処理を繰り返す。一方、受信処理を終了する場合には、配信データの受信は行わない。【００３５】  図１０は、例えばセル＃３１１が横浜エリアのセルであるとした時、端末装置１００がセル＃３１１にて通信を行っている場合の端末装置１００の表示部１０８の表示を示すものである。図８に示すように並べられて図９に示すように変換された配信データのニュース情報＃４０１は、図１０に示すように、ニュース情報＃９０１として表示され、図８に示すように並べられて図９に示すように変換された配信データのレストラン情報＃４０２は、図１０に示すようにレストラン情報＃９０２として表示される。図１０より、セル＃３１１にて通信を行う端末装置１００には、横浜に関連するニュース情報及び横浜のレストラン情報が優先度の高い情報として優先的に表示される。【００３６】  図１１は、例えばセル＃３１３が品川エリアのセルであるとした時、端末装置１００がセル＃３１３にて通信を行っている場合の端末装置１００の表示部１０８の表示を示すものである。この場合、配信データのニュース情報＃４０１は、図１１に示すようにニュース情報＃１００１として表示され、配信データのレストラン情報＃４０２は、図１１に示すようにレストラン情報＃１００２として表示される。図１１より、セル＃３１３にて通信を行う端末装置１００には、品川に関連するニュース情報及び品川のレストラン情報が優先度の高い情報として優先的に表示される。優先的に表示する方法としては、優先度の高い情報から優先度が低くなるにつれて各項目の先頭から下に順次表示する方法または優先度の高い情報のみを表示する方法等の任意の方法を用いることが可能である。【００３７】  さらに、図２において表示部１０８に切り替えスイッチ等の切り替え部を設けることにより、優先度が「低」のニュース情報及びレストラン情報または優先度が「中」のニュース情報及びレストラン情報の優先度と、優先度が「高」のニュース情報及びレストラン情報の優先度とを変更して、優先度が「低」のニュース情報及びレストラン情報または優先度が「中」のニュース情報及びレストラン情報を優先度が高い情報として表示することも可能である。即ち、ユーザが切り替え部を操作することにより、端末装置１００が通信を行っているセルにかかわりなく、セル＃３１０〜セル＃３１３の内の任意のセルのセルＩＤと関係付けたニュース情報及びレストラン情報の優先度が高いものとして表示することが可能である。【００３８】  このように、本実施の形態１によれば、自セルのセルＩＤと各配信データに含まれるセルＩＤとの比較結果に基づいて、配信データを並べて表示することにより、配信側にて配信データを編集せずに端末装置にて配信データを編集するこ���ができるので、コストを低減することができる。また、本実施の形態１によれば、セルＩＤを用いて端末装置が自動的に配信データを並べて表示するので、ユーザは最も必要な配信データを迅速に探すことができる。また、本実施の形態１によれば、セル＃３１０〜セル＃３１３の内の任意のセルのセルＩＤと関係付けられた配信データをユーザの選択により優先度が高いものとして表示する場合には、ユーザが通信を行っている場所以外の任意の場所に関連した配信データを迅速に探すことができる。また、本実施の形態１によれば、自セル内の配信データを最も優先度が高い配信データとして表示するので、閲覧者が端末装置を用いて通信しているセル内の配信データを閲覧者は迅速に探すことができる。【００３９】  （実施の形態２）
図１２は、本発明の実施の形態２に係る端末装置１１００の構成を示すブロック図である。【００４０】  本実施の形態２に係る端末装置１１００は、図２に示す実施の形態１に係る端末装置１００において、図１２に示すように、データソート部１０６の代わりにデータソート部１１０１を有する。なお、図１２においては、図２と同一構成である部分には同一の符号を付してその説明は省略する。また、本発明の実施の形態２に係る配信サーバーの構成は図３と同一構成であるので、その説明は省略する。【００４１】  データソート部１１０１は、配信データに含まれるセルＩＤとセルＩＤ抽出部１０４から入力したセルＩＤとを比較する。そして、データソート部１１０１は、比較結果と、ＧＰＳ等を用いて測定した端末装置１１００が通信を行っている緯度及び経度とに基づいて、データ受信部１０５から入力した配信データを並べてデータフォーマット部１０７へ出力する。具体的には、配信データに含まれるセルＩＤと同一のセルＩＤが、ＩＤ抽出部１０４から入力したセルＩＤにあるか否かを判定するとともに、配信データに含まれるセルＩＤとＩＤ抽出部１０４から入力したセルＩＤとの差を求め、求めた差としきい値とを比較して、各配信データを優先度「高」、「中」及び「低」のように所定のグループに分ける。そして、データソート部１１０１は、各配信データの緯度及び経度と端末装置１１００が通信を行っている緯度及び経度とをグループ毎に比較して、比較結果に基づいて各グループ内にて配信データを並べる。なお、データソート部１１０１において、自セルのセルＩＤを含む配信データのみを並べる場合には、しきい値情報は不要である。また、配信サーバー２００から配信された配信データを端末装置１１００が受信するまで、及び端末装置１１００の動作は図４及び図６と同一であるので、その説明は省略する。【００４２】  図１３は、配信サーバー２００から配信される配信データを示す図である。配信データは、図１３に示すように、例えばニュース情報＃１２０１及びレストラン情報＃１２０２である。レストラン情報＃１２０２には緯度の情報である緯度情報＃１２０３と経度の情報である経度情報＃１２０４が含まれている。図１３に示す配信データが配信サーバー２００から端末装置１１００へ配信される。【００４３】  図１４及び図１５は、端末装置１１００の表示部１０８に表示される配信データを示す図である。図１４は、端末装置１１００が北緯（Ｎ）「３５Ｎ２７」及び東経（Ｅ）「１３９Ｅ３７」にて通信を行っている場合に端末装置１１００に表示される配信データを示すものであり、図１５は、端末装置１１００が北緯（Ｎ）「３５Ｎ２８」及び東経（Ｅ）「１３９Ｅ３８」にて通信を行っている場合に端末装置１１００に表示される配信データを示すものである。図１４及び図１５において、図１３に示す配信データのニュース情報＃１２０１がニュース情報＃１３０１、＃１４０１として表示され、図１３に示す配信データのレストラン情報＃１２０２がレストラン情報＃１３０２、＃１４０２として表示される。図１４より、セル＃３１１が横浜エリアである場合において、セル＃３１１内の北緯（Ｎ）「３５Ｎ２７」及び東経（Ｅ）「１３９Ｅ３７���にて通信を行う端末装置１１００には、横浜に関連するニュース情報＃１３０１及び横浜のレストラン情報＃１３０２が優先度の高い情報として優先的に表示されるとともに、優先的に表示される横浜のレストラン情報＃１３０２において、さらに北緯（Ｎ）「３５Ｎ２７」及び東経（Ｅ）「１３９Ｅ３７」のレストランが優先度の高い情報として優先的に表示される。また、図１５より、セル＃３１１内の北緯（Ｎ）「３５Ｎ２８」及び東経（Ｅ）「１３９Ｅ３８」にて通信を行う端末装置１１００には、横浜に関連するニュース情報＃１４０１及び横浜のレストラン情報＃１４０２が優先度の高い情報として優先的に表示されるとともに、優先的に表示される横浜のレストラン情報＃１４０２において、さらに北緯（Ｎ）「３５Ｎ２８」及び東経（Ｅ）「１３９Ｅ３８」のレストランが優先度の高い情報として優先的に表示される。【００４４】  このように、本実施の形態２によれば、上記実施の形態１の効果に加えて、緯度情報及び経度情報を用いてさらに細かな優先順位を設けることができるので、ユーザは必要な情報をさらに迅速に探すことができる。【００４５】  なお、本実施の形態２において、データソート部１１０１にて配信データを並べる際に用いる位置情報は緯度及び経度を用いることとしたが、これに限らず、コンテンツの情報と関係付ける位置情報と同一の位置情報とすることを条件に郵便番号等の任意の位置情報を用いることが可能である。【００４６】  （実施の形態３）
図１６は、本発明の実施の形態３に係る端末装置１５００の構成を示すブロック図である。【００４７】  本実施の形態３に係る端末装置１５００は、図２に示す実施の形態１に係る端末装置１００において、図１６に示すように、伝送状況監視部１５０１及びセルＩＤ記憶部１５０３を追加し、セルＩＤ抽出部１０４の代わりにセルＩＤ抽出部１５０２を有し、データソート部１０６の代わりにデータソート部１５０４を有する。なお、図１６においては、図２と同一構成である部分には同一の符号を付してその説明は省略する。また、本発明の実施の形態３に係る配信サーバーの構成は図３と同一構成であるので、その説明は省略する。【００４８】  伝送状況監視部１５０１は、制御データ受信部１０３から入力した受信信号より受信信号強度を測定し、測定結果をセルＩＤ記憶部１５０３へ出力する。【００４９】  セルＩＤ抽出部１５０２は、制御データ受信部１０３から入力した制御情報より、現在端末装置１５００が通信を行っている自セルのセルＩＤを含む現在受信可能な全てのセルＩＤを抽出して、抽出したセルＩＤの情報であるセルＩＤ情報をセルＩＤ記憶部１５０３へ出力する。【００５０】  セルＩＤ記憶部１５０３は、セルＩＤ抽出部１５０２から入力した抽出されたセルＩＤの情報と伝送状況監視部１５０１から入力した測定結果とを用いて、セルＩＤと受信信号強度とを関係付けてデータソート用情報とするとともに、データソート用情報を保存したテーブルを記憶する。【００５１】  データソート部１５０４は、データ受信部から入力した配信データに含まれるセルＩＤの情報を用いて、セルＩＤ記憶部１５０３に記憶されているデータソート用情報を参照して受信信号強度が大きいセルＩＤと関係付けられている配信データほど優先度が高くなるように配信データを並べる。【００５２】  次に、端末装置１５００の動作について、図１７及び図１８を用いて説明する。図１７は、端末装置１５００の動作を示すフロー図であり、図１８は、データソート用情報を示す図である。【００５３】  最初に、端末装置１５００は受信動作を開始して、例えば図５のような配信データにおいて、図７に示すレストラン情報の配信データを１件読み込み（ステップＳＴ１６０１）、データ受信部１０５は配信データを抽出する。それと同時に、制御データ受信部１０３は、制御情報を抽出する。次に、セルＩＤ抽出部１５０２は、自分が通信を行っているセルのセルＩＤを含む現在受信可能な全てのセルのセルＩＤを抽出するとともに、伝送状況監視部１５０１は、受信信号強度を測定して伝送状況を監視する（ステップＳＴ１６０２）。【００５４】  次に、セルＩＤ記憶部１５０３は、データソート用情報であるセルＩＤ対応表を更新する（ステップＳＴ１６０３）。セルＩＤ対応表は、例えば図１８に示すものであり、セルＩＤ抽出部１５０２にて抽出されたセルＩＤ「０ｘ０Ａ」、「０ｘ０Ｂ」、「０ｘ０Ｃ」と各セルＩＤの受信信号強度を更新する。図１８において、セルＩＤ「０ｘ０Ｂ」の受信信号強度は３８ｄＢであり、セルＩＤ「０ｘ０Ａ」の受信信号強度は３６ｄＢであり、セルＩＤ「０ｘ０Ｃ」の受信信号強度は３５ｄＢである。この場合、セルＩＤ「０ｘ０Ｂ」が最も受信信号強度が��きいので、端末装置１５００はセルＩＤ「０ｘ０Ｂ」のセルにて通信を行っている。また、セルＩＤ「０ｘ０Ａ」のセル及びセルＩＤ「０ｘ０Ｃ」のセルは、セルＩＤ「０ｘ０Ｂ」のセルに隣接しているセルであり、端末装置１５００はセルＩＤ「０ｘ０Ａ」のセル及びセルＩＤ「０ｘ０Ｃ」のセルからの信号も同時に受信している。【００５５】  次に、データソート部１５０４は、受信信号強度が大きいセルＩＤに関係付けられている配信データほど優先度が高くなるような優先順位を付与して配信データを並べる（ステップＳＴ１６０４）。次に、データフォーマット部１０７は、配信データを表示するための所定のフォーマットに変換し、表示部１０８は、配信データを表示する（ステップＳＴ１６０５）。配信データを表示する際には、図１０及び図１１に示すように、優先度の高い情報から優先度が低くなるにつれて各項目の先頭から下に順次表示する方法、または優先度の高い情報のみを表示する方法等の任意の方法を用いることが可能である。【００５６】  次に、端末装置１５００は、配信データの受信処理を終了するか否かを判定する（ステップＳＴ１６０６）。受信処理を終了しない場合には、ステップＳＴ１６０１〜ステップＳＴ１６０５の処理を繰り返す。一方、受信処理を終了する場合には、配信データの受信は行わない。【００５７】  このように、本実施の形態３によれば、現在通信を行っているセルのセルＩＤと受信信号強度とを関係付けて記憶したデータソート用情報を参照して配信データを並べて表示することにより、配信側にて配信データを編集せずに端末装置にて配信データを編集することができるので、コストを低減することができる。また、本実施の形態３によれば、セルＩＤ及び受信信号強度を用いて端末装置が自動的に配信データを並べて表示するので、ユーザは最も必要な配信データを迅速に探すことができる。また、本実施の形態３によれば、セルＩＤ抽出部１５０２にて抽出したセルＩＤと配信データに関係付けられているセルＩＤとを比較することなく受信信号強度を用いて配信データを並べることができるので、自セルのセルＩＤと配信データに含まれるセルＩＤの情報のセルＩＤとを比較する処理が不要になって、処理負荷を軽減することができる。【００５８】  なお、本実施の形態３において、データソート用情報はセルＩＤと受信信号強度とが関係付けられたものとしたが、これに限らず、セルＩＤと伝送エラー率とを関係付ける等の任意のパラメータとセルＩＤとを関係付けてデータソート用情報とすることが可能である。【００５９】  （実施の形態４）
図１９は、本発明の実施の形態４に係る端末装置１８００の構成を示すブロック図である。【００６０】  本実施の形態４に係る端末装置１８００は、図２に示す実施の形態１に係る端末装置１００において、図１９に示すように、表示切替部１８０１を追加する。なお、図１９においては、図２と同一構成である部分には同一の符号を付してその説明は省略する。また、本実施の形態４に係る配信サーバーは図３と同一構成であるので、その説明は省略する。【００６１】  表示切替部１８０１は、例えば切り替えスイッチであり、ユーザの切り替え操作により、データフォーマット部１０７から入力した配信データの全部を表示する全部表示モードと、優先度がしきい値以上である配信データのみを表示する一部表示モードとを切り替えて表示するように表示部１０８を制御する。また、表示切替部１８０１は、一部表示モードにおいて、優先度がしきい値以上の配信データを表示するように制御する場合に限らず、優先度が最も高い配信データのみを表示するように制御することも可能である。【００６２】  表示部１０８は、表示切替部１８０１の制御に基づいて、データフォーマット部１０７から入力した配信データを全部表示する場合と、データフォーマット部１０７から入力した配信データの内の優先度がしきい値以上である配信データ（例えば、優先度「高」の配信データと優先度「中」の配信データ）のみを表示する場合とを切り替えて表示する。また、表示部１０８は、一部表示モードが優先度が最も高い配信データのみを表示するものである場合には、表示切替部１８０１の制御に基づいて、データフォーマット部１０７から入力した配信データを全部表示する場合と、データフォーマット部１０７から入力した配信データの内の優先度が最も高い配信データ（例えば、優先度「高」の配信データ）のみを表示する場合とを切り替えて表示する。【００６３】  図２０は、一部表示モードの場合の表示部１０８における表示を示すものであり、図２１は、全部表示モードの場合の表示部１０８における表示を示すものである。例えば、ユーザが図２０に示すように受信した配信データの一部のみを表示させて閲覧している最中に、受信した配信データの全部を閲覧したい場合には、表示切替部１８０１を操作することにより図２１に示すように受信した配信データの全部を表示させることができる。なお、端末装置１８００の動作は、図６のステップＳＴ５０９において受信した配信データの全部を表示する場合と受信した配信データの一部を表示する場合とを切り替えて表示する以外は図６と同一であるので、その説明は省略する。【００６４】  このように、本実施の形態４によれば、上記実施の形態１の効果に加えて、受信した配信データの全部を表示する場合と受信した配信データの一部を表示する場合とを切り替えて表示するので、ユーザが優先度の高い配信データのみを閲覧したい場合には、余計な配信データが表示されないことによりユーザが必要な情報を迅速に探すことができるとともに、ユーザの要望により全ての配信データを閲覧することも可能であり、配信データを閲覧容易に表示することができる。【００６５】  （実施の形態５）
図２２は、本発明の実施の形態５に係る端末装置２１００の構成を示すブロック図である。【００６６】  本実施の形態５に係る端末装置２１００は、図２に示す実施の形態１に係る端末装置１００において、図２２に示すように、チャンネル選択部２１０１を追加する。なお、図２２においては、図２と同一構成である部分には同一の符号を付してその説明は省略する。【００６７】  セルＩＤ抽出部１０４は、制御データ受信部１０３から入力した制御情報より、現在端末装置２１００が通信を行っている自セルのセルＩＤを抽出して、抽出したセルＩＤの情報であるセルＩＤ情報をデータソート部１０６及びチャンネル選択部２１０１へ出力する。【００６８】  データ受信部１０５は、無線受信部１０２から入力した受信信号から配信データを抽出してデータソート部１０６へ出力する。データ受信部１０５にて抽出された配信データは、放送番組を選択するための番組選択メニューの情報及び各放送番組のデータである。各番組選択メニューの情報には、放送番組のデータが配信されるチャンネルの情報であるチャンネル情報とセルＩＤの情報とが含まれており、複数の番組選択メニューにより番組案内情報が構成される。また、各放送番組のデータは、放送番組毎に異なるチャンネルの受信信号として受信される。【００６９】  データソート部１０６は、データ受信部１０５から入力した番組案内情報の各番組選択メニューに含まれているセルＩＤとセルＩＤ抽出部１０４から入力したセルＩＤとを比較する。そして、データソート部１０６は、比較結果に基づいて、データ受信部１０５から入力した番組案内情報内にて各番組選択メニューを並べる。そして、データソート部１０６は、番組選択メニューを並べた番組案内情報及び各放送番組のデータをチャンネル選択部２１０１へ出力する。具体的には、現在通信を行っている自セルのセルＩＤを含む番組選択メニューがあるか否かを判定するとともに、各番組選択メニューに含まれているセルＩＤと自セルのセルＩＤとの差を求め、求めた差としきい値とを比較して、各番組選択メニューの優先度を決めて各番組選択メニューを並べて各放送番組のデータとともにチャンネル選択部２１０１へ出力する。なお、自セルのセルＩＤを含む番組選択メニューのみしか並べない場合にはしきい値情報は不要である。【００７０】  チャンネル選択部２１０１は、データソート部１０６から入力した番組案内情報及びＩＤ抽出部１０４から入力したセルＩＤの情報に基づいて、チャンネルを選択する。具体的には、チャンネル選択部２１０１は、自セルのセルＩＤの情報を含む番組選択メニューに含まれるチャンネル情報のチャンネルを選択する。そして、チャンネル選択部２１０１は、選択したチャンネルの情報及びデータソート部１０６から入力した番組案内情報をデータフォーマット部１０７へ出力する。【００７１】  表示部１０８は、データフォーマット部１０７から入力した番組案内情報を表示する。また、表示部１０８は、データフォーマット部１０７から入力したチャンネル選択部２１０１にて選択されたチャンネルの情報より、選択されたチャンネルを用いて配信された放送番組のデータを番組案内情報と同時に表示する。【００７２】  次に、配信データ���受信した端末装置２１００の動作について、図２３及び図２４を用いて説明する。図２３は、端末装置２１００に表示される配信データを示す図であり、図２４は、端末装置２１００が受信する配信データの番組案内情報を示す図である。【００７３】  番組案内情報は、図２３に示すように、例えばニュース情報＃２２０１及びレストラン情報＃２２０２である。ニュース情報＃２２０１において、１行目の「東京学園甲子園出場」の番組選択メニューの情報には、「０ｘ０Ｄ」のセルＩＤの情報＃２２０３ａと「ＣＨ＝゛００１″」のチャンネル情報＃２２０４ａとが含まれ、２行目の「都知事会見」の番組選択メニューの情報には、「０ｘ０Ｄ」のセルＩＤの情報＃２２０３ｂと「ＣＨ＝゛００１″」のチャンネル情報＃２２０４ｂとが含まれ、３行目の「横浜学院甲子園出場」の番組選択メニューの情報には、「０ｘ０Ａ」、「０ｘ０Ｂ」及び「０ｘ０Ｃ」のセルＩＤの情報＃２２０３ｃと「ＣＨ＝゛００２″」のチャンネル情報＃２２０４ｃとが含まれ、４行目の「県知事会見」の番組選択メニューの情報には、「０ｘ０Ａ」、「０ｘ０Ｂ」及び「０ｘ０Ｃ」のセルＩＤの情報＃２２０３ｄと「ＣＨ＝゛００２″」のチャンネル情報＃２２０４ｄとが含まれるとともに、５行目の「衆議院開票速報」の番組選択メニューには、「＊」の表示により全てのセルＩＤの情報＃２２０３ｅと「ＣＨ＝゛０００″」のチャンネル情報＃２２０４ｅとが含まれている。【００７４】  データソート部１０６は、各優先度に基づいて配信データを並べる。例えば、セルＩＤが「０ｘ０Ｂ」である横浜エリアのセル＃３１１にて通信を行っている端末装置２１００が、図２３のニュース情報＃２２０１を受け取った場合には、データソート部１０６は、「０ｘ０Ｂ」のセルＩＤを含む「横浜学院甲子園出場」及び「県知事会見」の番組選択メニューの情報を選択して優先度「高」として先頭に並べる。【００７５】  次に、データソート部１０６は、全てのセルＩＤを含む「衆議院開票速報」の番組選択メニューの情報を次に優先度が高いものとして、「横浜学院甲子園出場」及び「県知事会見」の番組選択メニューの情報の次に並べる。【００７６】  次に、データソート部１０６は、セルＩＤ間の減算を行うことにより、ニュース情報＃２２０１において、横浜エリアのセルから最も遠い東京エリアのセルのセルＩＤ「０ｘ０Ｄ」を含む「東京学園甲子園出場」及び「都知事会見」の番組選択メニューの情報を、「衆議院開票速報」の番組選択メニューの情報の次に並べる。【００７７】  さらに、チャンネル選択部２１０１は、「０ｘ０Ｂ」のセルＩＤを含む「横浜学院甲子園出場」及び「県知事会見」の何れか一方の番組を放送するチャンネル００２を選択する。【００７８】  次に、表示部１０８は、図２４に示すように、画面下部＃２３０１に表示される番組案内情報において、横浜エリアのセルにおける「横浜学院甲子園出場」の番組選択メニューの情報＃２３０３ａを先頭に表示するとともに「県知事会見」の番組選択メニューの情報＃２３０３ｂを番組選択メニューの情報＃２３０３ａの次に表示し、全てのセルに共通の「衆議院開票速報」の番組選択メニューの情報＃２３０３ｃを番組選択メニューの情報＃２３０３ｂ���次に表示し、東京エリアのセルの「東京学園甲子園出場」の番組選択メニューの情報＃２３０３ｄを番組選択メニューの情報＃２３０３ｃの次に表示するとともに、「都知事会見」の番組選択メニューの情報＃２３０３ｅを番組選択メニューの情報＃２３０３ｄの次に表示する。さらに、表示部１０８は、図２４に示すように、画面上部＃２３０２にて、チャンネル選択部２１０１にて選択されたチャンネルを用いて配信された放送番組データの「横浜学院甲子園出場」を表示する。【００７９】  そして、端末装置２１００のユーザが、下部画面＃２３０１に表示されている番組選択メニューの情報の下線部を選択（クリック）することによって、選択した放送番組のデータが表示部１０８の上部画面＃２３０２に表示される。なお、レストラン情報＃２２０２においても上記のニュース情報＃２２０１と同様の処理を行うものであり、その説明は省略する。【００８０】  このように、本実施の形態５によれば、上記実施の形態１の効果に加えて、自セルのセルＩＤを含む番組選択メニューに含まれているチャンネル情報のチャンネルを選択するとともに、番組案内情報の表示と選択したチャンネルを用いて配信された放送番組の表示とを同時に行うので、ユーザが放送番組を選択するまでの時間において、放送番組が何も表示されない状態をなくすることができる。また、本実施の形態５によれば、自セルのセルＩＤを含む番組選択メニューの情報に含まれるチャンネル情報のチャンネルにて配信される放送番組を最初に表示するので、ユーザは最も必要な放送番組を迅速に閲覧することができる。【００８１】  なお、本実施の形態５において、自セルのセルＩＤを含む番組選択メニューに含まれるチャンネル情報のチャンネルを選択することとしたが、これに限らず、自セル以外の他セルのセルＩＤを含む番組選択メニューに含まれるチャンネル情報のチャンネルを選択して最初に放送するようにしても良い。また、本実施の形態５は、実施の形態２〜実施の形態４に適用することが可能である。【００８２】  （実施の形態６）
図２５は、本発明の実施の形態６に係る端末装置１００の構成を示すブロック図である。【００８３】  本実施の形態６に係る端末装置２５００は、図２に示す実施の形態１に係る端末装置１００において、図２５に示すように、セルＩＤ抽出部１０４を除き、ネットワークエリアＩＤ抽出部２５０１を追加する。なお、図２５においては、図２と同一構成である部分には同一の符号を付してその説明は省略する。【００８４】  制御データ受信部１０３は、無線受信部１０２から入力した受信信号からアプリケーションデータ以外の全ての制御情報を抽出してネットワークエリアＩＤ抽出部２５０１へ出力する。【００８５】  ネットワークエリアＩＤ抽出部２５０１は、制御データ受信部１０３から入力した制御情報より、現在端末装置２５００（自局）が属するネットワークエリアのネットワークエリアＩＤ（セル情報）を抽出して、抽出したネットワークエリアＩＤの情報であるネットワークエリアＩＤ情報をデータソート部１０６へ出力する。ここで、ネットワークエリアとは、複数のセルにて特定される領域である。また、ネットワークエリアＩＤとは、ネットワークエリアを識別するＩＤであり、ネットワークエリア毎に異なる数値を示すように数値化されているとともに、ネットワークエリアに属する複数のセルと関係付けられている１つの論理的なＩＤである。【００８６】  データソート部１０６は、データ受信部１０５から入力した配信データに含まれるネットワークエリアＩＤとネットワークエリアＩＤ抽出部２４０１から入力したネットワークエリアＩＤとを比較する。そして、データソート部１０６は、比較結果に基づいて、データ受信部１０５から入力した配信データを並べてデータフォーマット部１０７へ出力する。具体的には、端末装置２５００が属するネットワークエリアのネットワークエリアＩＤを含む配信データがあるか否かを判定するとともに、配信データに含まれているネットワークエリアＩＤと、端末装置２５００が属するネットワークエリアのネットワークエリアＩＤとの差を求め、求めた差としきい値とを比較して、各配信データの優先度を決めて配信データを並べる。なお、端末装置２５００が属するネットワークエリアのネットワークエリアＩＤを含む配信データのみを並べる場合には、しきい値情報は不要である。【００８７】  次に、配信サーバー２６００の構成について、図２６を用いて説明する。図２６は、配信サーバー２６００の構成を示すブロック図である。【００８８】  本実施の形態６に係る配信サーバー２６００は、図３に示す実施の形態１に係る配信サーバー２００において、図２６に示すように、セルＩＤ付与部２０３を除き、ネットワークエリアＩＤ付与部２６０１を追加する。なお、図２６においては、図３と同一構成である部分には同一の符号を付してその説明は省略する。【００８９】  コンテンツ読込部２０１は、コンテンツ（文書、画像及び音声などのマルチメディアデータ）を読み込んでネットワークエリアＩＤ付与部２６０１へ出力する。ここで、コンテンツは、位置情報である緯度及び経度と関係付けられた任意の情報を複数含んでおり、例えば、店と店が所在する緯度及び経度とが関係付けられた情報、または地域ニュースとその地���の緯度及び経度とが関係付けられた情報からなる。【００９０】  地理情報記憶部２０２は、ネットワークエリアＩＤと緯度及び経度の範囲とを関係付けた変換情報を保存したテーブル、または緯度及び経度よりネットワークエリアＩＤを求めることができる計算式を記憶している。【００９１】  ネットワークエリアＩＤ付与部２６０１は、コンテンツ読込部２０１から入力したコンテンツより緯度情報及び経度情報を参照する。そして。ネットワークエリアＩＤ付与部２６０１は、参照した緯度情報及び経度情報を用いて、地理情報記憶部２０２に記憶されている変換情報を参照するかまたは計算式にて計算することによりネットワークエリアＩＤを選択する。続いて、ネットワークエリアＩＤ付与部２６０１は、各コンテンツの内容毎に選択したネットワークエリアＩＤを各コンテンツに含めて送信部２０４へ出力する。【００９２】  送信部２０４は、ネットワークエリアＩＤ付与部２６０１から入力したコンテンツを配信データとして送信する。【００９３】  図２７は、各セルとネットワークエリアとの関係を示す図である。ネットワークエリア＃２７０１は、複数のセル＃２７０２、＃２７０３、＃２７０４、＃２７０５から構成される。図２７では、端末装置２５００は、セル＃２７０３にて基地局装置２７０６と通信を行っているが、ネットワークエリア＃２７０１に関する配信情報、即ちセル＃２７０２、＃２７０３、＃２７０４、＃２７０５に関する配信情報を優先度が高い情報として表示することができる。なお、配信データを受信した端末装置２５００の動作及び端末装置２５００における配信データの表示方法は、セルＩＤの代わりにネットワークエリアＩＤを用いる以外は、図６〜図１１と同一であるので、その説明は省略する。【００９４】  このように、本実施の形態６によれば、端末装置が属するネットワークエリア＃２７０１のネットワークエリアＩＤと、各配信データに含まれるネットワークエリアＩＤとの比較結果に基づいて、配信データを並べて表示することにより、配信側にて配信データを編集せずに端末装置にて配信データを編集することができるので、コストを低減することができる。また、本実施の形態６によれば、ネットワークエリアＩＤを用いて端末装置が自動的に配信データを並べて表示するので、ユーザは最も必要な配信データを迅速に探すことができる。また、本実施の形態６によれば、ネットワークエリア＃２７０１に含まれない任意のセルのセルＩＤと関係付けられた配信データをユーザの選択により優先度が高いものとして表示する場合には、ネットワークエリア＃２７０１以外の任意の場所に関連した配信データを迅速に探すことができる。また、本実施の形態６によれば、自セル＃２７０３に近い、ネットワークエリア＃２７０１内の配信データを最も優先度が高い配信データとして表示するので、自セル＃２７０３の近くのセル＃２７０２、＃２７０４、＃２７０５の配信データを閲覧者は迅速に探すことができる。また、本実施の形態６によれば、ネットワークエリア＃２７０１のネットワークエリアＩＤをセルＩＤに相当するものとして用いることにより、セルよりも広い地域に対応付けられた配信情報を表示することができる。【００９５】  なお���本実施の形態６において、ネットワークエリアは４つのセルから構成されることとしたが、これに限らず、ネットワークエリアを構成するセルの数は任意に決めることができる。また、本実施の形態６は、上記実施の形態２〜実施の形態５にも適用することができる。【００９６】  上記実施の形態１〜実施の形態６において、セルＩＤまたはネットワークエリアＩＤを用いて配信データを並べることとしたが、これに限らず、郵便番号等の任意の位置情報を用いて配信データを並べることができる。また、上記実施の形態１〜実施の形態６において、配信データをＨＴＭＬ形式に変換して表示することとしたが、これに限らず、配信データは表示可能な任意の形式に変換可能である。なお、上記実施の形態１〜実施の形態６において、コンテンツと関係付けられる位置情報は緯度及び経度を用いることとしたが、これに限らず、郵便番号等の任意の位置情報を用いることが可能である。また、上記実施の形態１〜実施の形態６において、配信データにはＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｓｐｏｒｔ）を用いて伝送してもよく、例えばＦＬＵＴＥで規定されたフィールドを利用したり拡張したりすることによりセル情報を記述できる。ここで、ＦＬＵＴＥとは、ＩＥＴＦで審議中のファイル転送方式であり、メタデータを送信するのに好適な方式である。また、上記実施の形態１〜実施の形態６において、配信データにはレイアウト情報を含んでもよい。レイアウト情報とは、コンテンツをどのように配置及び表示するかを指定する制御情報であり、例えばＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を用いることができる。ＳＭＩＬとはＷ３Ｃ（Ｔｈｅ  Ｗｏｒｌｄ  Ｗｉｄｅ  Ｗｅｂ  Ｃｏｎｓｏｒｔｉｕｍ）で勧告されたレイアウト記述方式である。ＳＭＩＬレイアウト中にセルＩＤを指定して、レイアウト又は表示コンテンツを関連付けることができる。【００９７】  本明細書は、２００４年２月５日出願の特願２００４−２９６２４に基づく。この内容はすべてここに含めておく。
【産業上の利用可能性】
【００９８】  本発明にかかる端末装置及び受信データ表示方法は、配信側にて配信データを編集せずに端末装置にて配信データを編集することにより、コストを低減することができるとともに必要な情報を迅速に探す効果を有し、配信されたデータを表示させるのに有用である。
【図１】
2005076499.tif 000002
【図２】
2005076499.tif 000003
【図３】
2005076499.tif 000004
【図４】
2005076499.tif 000005
【図５】
2005076499.tif 000006
【図６】
2005076499.tif 000007
【図７】
2005076499.tif 000008
【図８】
2005076499.tif 000009
【図９】
2005076499.tif 000010
【図１０】
2005076499.tif 000011
【図１１】
2005076499.tif 000012
【図１２】
2005076499.tif 000013
【図１３】
2005076499.tif 000014
【図１４】
2005076499.tif 000015
【図１５】
2005076499.tif 000016
【図１６】
2005076499.tif 000017
【図１７】
2005076499.tif 000018
【図１８】
2005076499.tif 000019
【図１９】
2005076499.tif 000020
【図２０】
2005076499.tif 000021
【図２１】
2005076499.tif 000022
【図２２】
2005076499.tif 000023
【図２３】
2005076499.tif 000024
【図２４】
2005076499.tif 000025
【図２５】
2005076499.tif 000026
【図２６】
2005076499.tif 000027
【図２７】
2005076499.tif 000028
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
セルにて特定される領域を識別するための情報であるセル情報を含む配信データを受信する受信手段と、
前記受信手段にて受信された前記配信データに含まれる前記セル情報と自局が属する前記領域の情報とに基づいて前記配信データの優先度を決定するとともに前記優先度が高い配信データから順番に並べるデータソート手段と、
前記データソート手段にて並べられた順番に前記配信データを表示する表示手段と、
を具備する端末装置。
【請求項２】
前記受信手段は、複数のセルにて特定される前記領域の前記セル情報を含む前記配信データを受信し、
前記データソート手段は、自局が属する前記領域の前記セル情報を含む前記配信データを最も優先度が高いものとする請求項１記載の端末装置。
【請求項３】
前記受信手段は、１つのセルにて特定される前記領域の前記セル情報を含む前記配信データを受信し、
前記データソート手段は、前記セル情報と自局が属する前記領域である自セルの情報とに基づいて前記配信データの優先度を決定する請求項１記載の端末装置。
【請求項４】
前記データソート手段は、自セルを示す前記セル情報を含む前記配信データの優先度を最も高くするとともに、他セルを示す前記セル情報を含む前記配信データの内、自セルから遠いセルほど優先度を低くするように前記配信データを並べる請求項３記載の端末装置。
【請求項５】
前記受信手段は、前記セル情報よりも狭いエリア毎の位置を示す情報である位置情報と前記セル情報とを含む前記配信データを受信し、
前記データソート手段は、自セルを示す前記セル情報を含む前記配信データの内、前記位置情報の位置が自分の位置に近いほど優先度を高くするように前記配信データを並べる請求項３記載の端末装置。
【請求項６】
受信信号より各セルにおける受信信号強度を測定する受信信号強度測定手段を具備し、
前記データソート手段は、前記受信信号強度測定手段にて測定された受信信号強度が大きいセルを示す前記セル情報を含む前記配信データほど優先度を高くするように前記配信データを並べる請求項３記載の端末装置。
【請求項７】
前記表示手段は、前記優先度がしきい値以上の前記配信データを表示する請求項３記載の端末装置。
【請求項８】
前記優先度がしきい値以上の前記配信データを前記表示手段にて表示させる一部表示モードと、受信した全ての前記配信データを前記表示手段にて表示させる全部表示モードと
を選択する表示切り替え手段を具備し、
前記表示手段は、前記表示切り替え手段にて前記一部表示モードが選択された場合には前記優先度がしきい値以上の配信データを表示し、前記表示切り替え手段にて前記全部表示モードが選択された場合には受信した全ての配信データを表示する請求項３記載の端末装置。
【請求項９】
自セルの情報と、前記受信手段にて受信された前記配信データに含まれる前記セル情報及び放送番組のデータを配信するチャンネルの情報であるチャンネル情報とに基づいてチャンネルを選択するチャンネル選択手段を具備し、
前記表示手段は、前記チャンネル選択手段にて選択された前記チャンネルを用いて配信される前記放送番組のデータを最初に表示する請求項３記載の端末装置。
【請求項１０】
前記チャンネル選択手段は、自セルの前記セル情報を含む前記配信データに含まれる前記チャンネル情報のチャンネルを選択する請求項９記載の端末装置。
【請求項１１】
請求項３記載の端末装置へ前記配信データを送信する配信サーバーであって、
前記配信サーバーは、
前記セル情報をコンテンツに含める位置情報付与手段と、
前記位置情報付与手段にて前記セル情報が含められた前記コンテンツを前記配信データとして前記端末装置へ送信する送信手段と、
を具備する配信サーバー。
【請求項１２】
セルにて特定される領域を識別するための情報であるセル情報を含む配信データを受信するステップと、
受信された前記配信データに含まれる前記セル情報と自局が属する前記領域の情報とに基づいて前記配信データの優先度を決定するとともに前記優先度が高い配信データから順番に並べるステップと、
並べられた順番に前記配信データを表示するステップと、
を具備する受信データ表示方法。
【請求項１３】
複数のセルにて特定される前記領域の前記セル情報を含む前記配信データを受信し、
自局が属する前記領域の前記セル情報を含む前記配信データを最も優先度が高いものとする請求項１２記載の受信データ表示方法。
【請求項１４】
１つのセルにて特定される前記領域の前記セル情報を含む前記配信データを受信し、
前記セル情報と自局が属する前記領域である自セルの情報とに基づいて前記配信データの優先度を決定する請求項１２記載の受信データ表示方法。
【請求項１５】
自セルを示す前記セル情報を含む前記配信データの優先度を最も高くするとともに、他セルを示す前記セル情報を含む前記配信データの内、自セルから遠いセルほど優先度を低くするように前記配信データを並べる請求項１４記載の受信データ表示方法。
【請求項１６】
前記セル情報よりも狭いエリア毎の位置を示す情報である位置情報と前記セル情報とを含む前記配信データを受信し、
自セルを示す前記セル情報を含む前記配信データの内、前記位置情報の位置が自分の位置に近いほど優先度を高くするように前記配信データを並べる請求項１４記載の受信データ表示方法。
【請求項１７】
受信信号より各セルにおける受信信号強度を測定するステップを具備し、
測定された受信信号強度が大きいセルを示す前記セル情報を含む前記配信データほど優先度を高くするように前記配信データを並べる請求項１４記載の受信データ表示方法。
【請求項１８】
前記優先度がしきい値以上の前記配信データを表示する請求項１４記載の受信データ表示方法。
【請求項１９】
前記優先度がしきい値以上の前記配信データを表示させる一部表示モードと、受信した全ての前記配信データを表示させる全部表示モードとを選択するステップを具備し、
前記一部表示モードが選択された場合には前記優先度がしきい値以上の配信データを表示し、前記全部表示モードが選択された場合には受信した全ての配信データを表示する請求項１４記載の受信データ表示方法。
【請求項２０】
自セルの情報と、受信された前記配信データに含まれる前記セル情報及び放送番組のデータを配信するチャンネルの情報であるチャンネル情報とに基づいてチャンネルを選択するステップを具備し、
選択された前記チャンネルを用いて配信される前記放送番組のデータを最初に表示する請求項１４記載の受信データ表示方法。
【請求項２１】
自セルの前記セル情報を含む前記配信データに含まれる前記チャンネル情報のチャンネルを選択する請求項２０記載の受信データ表示方法。
【手続補正２】
【補正対象書類名】明細書
【補正対象項目名】全文
【補正方法】変更
【補正の内容】
【発明の詳細な説明】
【技術分野】
【０００１】
本発明は、端末装置及び受信データ表示方法に関し、例えば配信サーバーから端末装置へ広告等の配信データが配信されるサービスに用いられる端末装置及び受信データ表示方法に関する。
【背景技術】
【０００２】
第３世代移動通信システムにおいて、複数の携帯電話に同時に配信データを送信する放送サービスが知られている（例えば、特許文献１）。
【０００３】
図１は、従来の配信データを送信する放送サービスにおける通信システムの構成を示すブロック図である。図１において、位置情報送信装置１０は、送受信部１１、制御部１２、記憶部１３及び位置取得部１４を備える。
【０００４】
送受信部１１は、位置情報及び位置情報に依存したメッセージ情報等の移動関連情報の送受信の際に用いられる。制御部１２は、時計及びＣＰＵ等を備え、各部の統括的な制御を行う。記憶部１３には、移動関連情報が、各送信条件に関連付けされた状態で記憶されている。
【０００５】
位置取得部１４は、位置測定装置１５が複数の人工衛星等から送信される複数の電波を受信し、それら受信した電力値から移動体１６の移動位置を算出し、その算出データから位置情報を作成し、その位置情報を記憶部１３に渡す。携帯端末１７は、位置情報送信装置１０から、送信条件に基づいた所望の移動関連情報を受信する。
【特許文献１】特開２００２−１６５２６４号公報
【発明の開示】
【発明が解決しようとする課題】
【０００６】
しかしながら、従来の端末装置及び受信データ表示方法は、配信側にて測定した移動体の位置に基づいて配信側にて個別に移動体毎の配信データを編集する必要があるので、コストがかかるという問題がある。また、従来の端末装置及び受信データ表示方法は、コストを低減するために配信側が個別に編集せずに配信データを配信する場合には、移動体にて受信した配信データを閲覧するユーザは、受信した全ての配信データの中から必要な情報を探す必要が生じるので、必要な情報を迅速に探すことができないという問題がある。
【０００７】
本発明の目的は、配信側にて配信データを編集せずに端末装置にて配信データを編集することにより、コストを低減することができるとともに必要な情報を迅速に探すことができる端末装置及び受信データ表示方法を提供することである。
【課題を解決するための手段】
【０００８】
本発明の端末装置は、セルにて特定される領域を識別するための情報であるセル情報を含む配信データを受信する受信手段と、前記受信手段にて受信された前記配信データに含まれる前記セル情報と自局が属する前記領域の情報とに基づいて前記配信データの優先度を決定するとともに前記優先度が高い配信データから順番に並べるデータソート手段と、前記データソート手段にて並べられた順番に前記配信データを表示する表示手段と、を具備する構成を採る。
【０００９】
本発明の受信データ表示方法は、セルにて特定される領域を識別するための情報であるセル情報を含む配信データを受信するステップと、受信された前記配信データに含まれる
前記セル情報と自局が属する前記領域の情報とに基づいて前記配信データの優先度を決定するとともに前記優先度が高い配信データから順番に並べるステップと、並べられた順番に前記配信データを表示するステップと、を具備するようにした。
【発明の効果】
【００１０】
本発明によれば、配信側にて配信データを編集せずに端末装置にて配信データを編集することにより、コストを低減することができるとともに必要な情報を迅速に探すことができる。
【発明を実施するための最良の形態】
【００１１】
以下、本発明の実施の形態について、図面を参照して詳細に説明する。
【００１２】
（実施の形態１）
図２は、本発明の実施の形態１に係る端末装置１００の構成を示すブロック図である。
【００１３】
無線受信部１０２は、アンテナ１０１にて受信した受信信号を無線周波数からベースバンド周波数へダウンコンバートしてデータ受信部１０５及び制御データ受信部１０３へ出力する。
【００１４】
制御データ受信部１０３は、無線受信部１０２から入力した受信信号からアプリケーションデータ以外の全ての制御情報を抽出してセルＩＤ抽出部１０４へ出力する。
【００１５】
セルＩＤ抽出部１０４は、制御データ受信部１０３から入力した制御情報より、現在端末装置１００が通信を行っている自セルのセルＩＤ（セル情報）を抽出して、抽出したセルＩＤの情報であるセルＩＤ情報をデータソート部１０６へ出力する。ここで、セルＩＤとは、セルを識別するＩＤであり、セル毎に異なる数値を示すように数値化されている。
【００１６】
データ受信部１０５は、無線受信部１０２から入力した受信信号から配信データを抽出してデータソート部１０６へ出力する。データ受信部１０５にて抽出された配信データは、放送番組を選択するための番組選択メニューの情報である。
【００１７】
データソート部１０６は、データ受信部１０５から入力した配信データに含まれるセルＩＤとセルＩＤ抽出部１０４から入力したセルＩＤとを比較する。そして、データソート部１０６は、比較結果に基づいて、データ受信部１０５から入力した配信データを並べてデータフォーマット部１０７へ出力する。具体的には、現在通信を行っている自セルのセルＩＤを含む配信データがあるか否かを判定するとともに、配信データに含まれているセルＩＤと自セルのセルＩＤとの差を求め、求めた差としきい値とを比較して、各配信データの優先度を決めて配信データを並べる。なお、自セルのセルＩＤを含む配信データのみを並べる場合には、しきい値情報は不要である。
【００１８】
データフォーマット部１０７は、データソート部１０６から入力した配信データを、表示するための所定のフォーマットに変換して表示部１０８へ出力する。
【００１９】
表示部１０８は、データフォーマット部１０７から入力した配信データを表示する。
【００２０】
次に、配信サーバー２００の構成について、図３を用いて説明する。図３は、配信サーバー２００の構成を示すブロック図である。
【００２１】
コンテンツ読込部２０１は、コンテンツ（文書、画像及び音声などのマルチメディアデータ）を読み込んでセルＩＤ付与部２０３へ出力する。ここで、コンテンツは、位置情報である緯度及び経度と関係付けられた任意の情報を複数含んでおり、例えば、店と店が所在する緯度及び経度とが関係付けられた情報、または地域ニュースとその地域の緯度及び経度とが関係付けられた情報からなる。
【００２２】
地理情報記憶部２０２は、セルＩＤと緯度及び経度の範囲とを関係付けた変換情報を保存したテーブル、または緯度及び経度よりセルＩＤを求めることができる計算式を記憶している。
【００２３】
セルＩＤ付与部２０３は、コンテンツ読込部２０１から入力したコンテンツより緯度情報及び経度情報を参照する。そして。セルＩＤ付与部２０３は、参照した緯度情報及び経度情報を用いて、地理情報記憶部２０２に記憶されている変換情報を参照するかまたは計算式にて計算することによりセルＩＤを選択する。続いて、セルＩＤ付与部２０３は、各コンテンツの内容毎に選択したセルＩＤを各コンテンツに含めて送信部２０４へ出力する。
【００２４】
送信部２０４は、セルＩＤ付与部２０３から入力したコンテンツを配信データとして送信する。
【００２５】
次に、配信サーバー２００から送信された配信データを端末装置１００が受信するまでについて、図４及び図５を用いて説明する。
【００２６】
図４より、セル＃３１０、＃３１１、＃３１２、＃３１３は、各々が１つのセルにて特定される領域である。配信サーバー２００は、配信データをコアネットワーク３０１へ出力する。配信データは、図５に示すように、例えばニュース情報＃４０１及びレストラン情報＃４０２である。ニュース情報＃４０１において、１行目の「東京学園甲子園出場」の番組選択メニューの情報には「０ｘ０Ｄ」のセルＩＤの情報＃４０１ａを含み、２行目の「都知事会見」の番組選択メニューの情報には「０ｘ０Ｄ」のセルＩＤの情報＃４０１ｂが含まれており、３行目の「横浜学院甲子園出場」の番組選択メニューの情報には「０ｘ０Ａ」、「０ｘ０Ｂ」及び「０ｘ０Ｃ」のセルＩＤの情報＃４０１ｃが含まれており、４行目の「県知事会見」の番組選択メニューの情報には「０ｘ０Ａ」、「０ｘ０Ｂ」及び「０ｘ０Ｃ」のセルＩＤの情報＃４０１ｄが含まれているとともに、５行目の「衆議院開票速報」の番組選択メニューには「＊」の表示により全てのセルＩＤの情報＃４０１ｅが含まれている。このように、各番組選択メニューの情報はセルＩＤの情報を含む。
【００２７】
セルＩＤは、例えば１６進数にて表され、「０ｘ０Ａ」は１０進数に変換すると「１０」であり、「０ｘ０Ｂ」は１０進数に変換すると「１１」であるとともに「０ｘ０Ｃ」は１０進数に変換すると「１２」である。したがって、セルＩＤ間にて１６進数または１０進数の減算を行い、自セルのセルＩＤと他セルのセルＩＤとの減算結果が最も小さい他セルが、自セルに最も近い他セルであるものと判定することができる。なお、セルＩＤを１６進数にて表現する場合に限らず、２進数等の任意の数値によりセルＩＤを表すことが可能である。また、レストラン情報＃４０２もニュース情報＃４０１と同様であるのでその説明は省略する。
【００２８】
次に、配信サーバー２００から配信された図５の配信データは、コアネットワーク３０
１を介して各ネットワーク制御装置３０２ａ、３０２ｂに到着する。ネットワーク制御装置３０２ａ、３０２ｂは、複数の基地局装置に配信データを伝送することが可能であり、ネットワーク制御装置３０２ａはセル＃３１０（例えば湘南エリア）の基地局装置３０３ａへ配信データを伝送し、ネットワーク制御装置３０２ｂはセル＃３１１（例えば横浜エリア）の基地局装置３０３ｂ、セル＃３１２（例えば川崎エリア）の基地局装置３０３ｃ及びセル＃３１３（例えば品川エリア）の基地局装置３０３ｄへ配信データを伝送する。そして、各基地局装置は、セル内にて通信を行っている端末装置１００へ配信データを送信する。
【００２９】
次に、配信データを受信した端末装置１００の動作について、図６〜図８を用いて説明する。図６は、端末装置１００の動作を示すフロー図であり、図７及び図８は、端末装置１００に表示するために配信される配信データを示す図である。
【００３０】
最初に、端末装置１００は受信動作を開始して、例えば図５のような配信データにおいて、図７に示すレストラン情報の配信データを１件読み込み（ステップＳＴ５０１）、データ受信部１０５は配信データを抽出する。この場合、配信データは配信データの作成者が任意に決めた順序にて整列している。それと同時に、制御データ受信部１０３は、制御情報を抽出する。次に、セルＩＤ抽出部１０４は、自分が通信を行っている自セルのセルＩＤを抽出してセルＩＤを取得する。（ステップＳＴ５０２）。
【００３１】
次に、データソート部１０６は、配信データに含まれるセルＩＤと抽出したセルＩＤとを比較して同一のセルＩＤであるか否かを判定する（ステップＳＴ５０３）。同一のセルＩＤである場合には、データソート部１０６は、同一のセルＩＤを含む配信データの優先度を「高」とする（ステップＳＴ５０４）。一方、同一のセルＩＤでない場合には、データソート部１０６は、配信データに含まれるセルＩＤと抽出したセルＩＤとの差がしきい値以下であるか否かを判定する（ステップＳＴ５０５）。配信データに含まれるセルＩＤと抽出したセルＩＤとの差がしきい値以下である場合には、データソート部１０６は、しきい値以下であるセルＩＤを含む配信データの優先度を「中」とする（ステップＳＴ５０６）。配信データに含まれるセルＩＤと抽出したセルＩＤとの差がしきい値以下でない場合には、データソート部１０６は、しきい値以下でないセルＩＤを含む配信データの優先度を「低」とする（ステップＳＴ５０７）。
【００３２】
次に、データソート部１０６は、各優先度に基づいて配信データを並べる（ステップＳＴ５０８）。例えば、セルＩＤが「０ｘ０Ｂ」である横浜エリアのセル＃３１１にて通信を行っている端末装置１００が、図７のレストラン情報＃４０１を受け取った場合には、データソート部１０６は、「０ｘ０Ｂ」のセルＩＤを含む番組選択メニューの情報＃６０４を選択して優先度「高」とし、図８に示すように番組選択メニューの情報＃６０４を先頭に並べる。また、データソート部１０６は、セルＩＤ間の減算を行うことにより、横浜エリアのセル＃３１１に最も近いセルＩＤが「０ｘ０Ａ」である湘南エリアのセル＃３１０の番組選択メニューの情報＃６０５及びセルＩＤが「０ｘ０Ｃ」である川崎エリアのセル＃３１２の番組選択メニューの情報＃６０３を、番組選択メニューの情報＃６０４の次に並べる。また、データソート部１０６は、湘南エリアのセル＃３１０及び川崎エリアのセル＃３１２の次に横浜エリアのセル＃３１１に近いセルＩＤが「０ｘ０Ｄ」である品川エリアのセル＃３１３の番組選択メニューの情報＃６０２を、番組選択メニューの情報＃６０３の次に並べる。さらに、データソート部１０６は、横浜エリアのセル＃３１１から最も遠いセルＩＤが「０ｘ０Ｅ」であるお台場エリアの図示しないセルの番組選択メニューの情報＃６０１を、番組選択メニューの情報＃６０２の次に並べる。
【００３３】
次に、データフォーマット部１０７は、配信データを所定のフォーマットに変換する。例えば、端末装置１００が図８に示すように配信データを並べた場合には、図８から汎用
ＷＷＷブラウザにて表示できるような図９に示すＨＴＭＬ形式のフォーマットに変換する。次に、表示部１０８は、配信データを表示する（ステップＳＴ５０９）。次に、端末装置１００は、配信データの受信処理を終了するか否かを判定する（ステップＳＴ５１０）。受信処理を終了しない場合には、ステップＳＴ５０１〜ステップＳＴ５０９の処理を繰り返す。一方、受信処理を終了する場合には、配信データの受信は行わない。
【００３４】
図１０は、例えばセル＃３１１が横浜エリアのセルであるとした時、端末装置１００がセル＃３１１にて通信を行っている場合の端末装置１００の表示部１０８の表示を示すものである。図８に示すように並べられて図９に示すように変換された配信データのニュース情報＃４０１は、図１０に示すように、ニュース情報＃９０１として表示され、図８に示すように並べられて図９に示すように変換された配信データのレストラン情報＃４０２は、図１０に示すようにレストラン情報＃９０２として表示される。図１０より、セル＃３１１にて通信を行う端末装置１００には、横浜に関連するニュース情報及び横浜のレストラン情報が優先度の高い情報として優先的に表示される。
【００３５】
図１１は、例えばセル＃３１３が品川エリアのセルであるとした時、端末装置１００がセル＃３１３にて通信を行っている場合の端末装置１００の表示部１０８の表示を示すものである。この場合、配信データのニュース情報＃４０１は、図１１に示すようにニュース情報＃１００１として表示され、配信データのレストラン情報＃４０２は、図１１に示すようにレストラン情報＃１００２として表示される。図１１より、セル＃３１３にて通信を行う端末装置１００には、品川に関連するニュース情報及び品川のレストラン情報が優先度の高い情報として優先的に表示される。優先的に表示する方法としては、優先度の高い情報から優先度が低くなるにつれて各項目の先頭から下に順次表示する方法または優先度の高い情報のみを表示する方法等の任意の方法を用いることが可能である。
【００３６】
さらに、図２において表示部１０８に切り替えスイッチ等の切り替え部を設けることにより、優先度が「低」のニュース情報及びレストラン情報または優先度が「中」のニュース情報及びレストラン情報の優先度と、優先度が「高」のニュース情報及びレストラン情報の優先度とを変更して、優先度が「低」のニュース情報及びレストラン情報または優先度が「中」のニュース情報及びレストラン情報を優先度が高い情報として表示することも可能である。即ち、ユーザが切り替え部を操作することにより、端末装置１００が通信を行っているセルにかかわりなく、セル＃３１０〜セル＃３１３の内の任意のセルのセルＩＤと関係付けたニュース情報及びレストラン情報の優先度が高いものとして表示することが可能である。
【００３７】
このように、本実施の形態１によれば、自セルのセルＩＤと各配信データに含まれるセルＩＤとの比較結果に基づいて、配信データを並べて表示することにより、配信側にて配信データを編集せずに端末装置にて配信データを編集することができるので、コストを低減することができる。また、本実施の形態１によれば、セルＩＤを用いて端末装置が自動的に配信データを並べて表示するので、ユーザは最も必要な配信データを迅速に探すことができる。また、本実施の形態１によれば、セル＃３１０〜セル＃３１３の内の任意のセルのセルＩＤと関係付けられた配信データをユーザの選択により優先度が高いものとして表示する場合には、ユーザが通信を行っている場所以外の任意の場所に関連した配信データを迅速に探すことができる。また、本実施の形態１によれば、自セル内の配信データを最も優先度が高い配信データとして表示するので、閲覧者が端末装置を用いて通信しているセル内の配信データを閲覧者は迅速に探すことができる。
【００３８】
（実施の形態２）
図１２は、本発明の実施の形態２に係る端末装置１１００の構成を示すブロック図である。
【００３９】
本実施の形態２に係る端末装置１１００は、図２に示す実施の形態１に係る端末装置１００において、図１２に示すように、データソート部１０６の代わりにデータソート部１１０１を有する。なお、図１２においては、図２と同一構成である部分には同一の符号を付してその説明は省略する。また、本発明の実施の形態２に係る配信サーバーの構成は図３と同一構成であるので、その説明は省略する。
【００４０】
データソート部１１０１は、配信データに含まれるセルＩＤとセルＩＤ抽出部１０４から入力したセルＩＤとを比較する。そして、データソート部１１０１は、比較結果と、ＧＰＳ等を用いて測定した端末装置１１００が通信を行っている緯度及び経度とに基づいて、データ受信部１０５から入力した配信データを並べてデータフォーマット部１０７へ出力する。具体的には、配信データに含まれるセルＩＤと同一のセルＩＤが、ＩＤ抽出部１０４から入力したセルＩＤにあるか否かを判定するとともに、配信データに含まれるセルＩＤとＩＤ抽出部１０４から入力したセルＩＤとの差を求め、求めた差としきい値とを比較して、各配信データを優先度「高」、「中」及び「低」のように所定のグループに分ける。そして、データソート部１１０１は、各配信データの緯度及び経度と端末装置１１００が通信を行っている緯度及び経度とをグループ毎に比較して、比較結果に基づいて各グループ内にて配信データを並べる。なお、データソート部１１０１において、自セルのセルＩＤを含む配信データのみを並べる場合には、しきい値情報は不要である。また、配信サーバー２００から配信された配信データを端末装置１１００が受信するまで、及び端末装置１１００の動作は図４及び図６と同一であるので、その説明は省略する。
【００４１】
図１３は、配信サーバー２００から配信される配信データを示す図である。配信データは、図１３に示すように、例えばニュース情報＃１２０１及びレストラン情報＃１２０２である。レストラン情報＃１２０２には緯度の情報である緯度情報＃１２０３と経度の情報である経度情報＃１２０４が含まれている。図１３に示す配信データが配信サーバー２００から端末装置１１００へ配信される。
【００４２】
図１４及び図１５は、端末装置１１００の表示部１０８に表示される配信データを示す図である。図１４は、端末装置１１００が北緯（Ｎ）「３５Ｎ２７」及び東経（Ｅ）「１３９Ｅ３７」にて通信を行っている場合に端末装置１１００に表示される配信データを示すものであり、図１５は、端末装置１１００が北緯（Ｎ）「３５Ｎ２８」及び東経（Ｅ）「１３９Ｅ３８」にて通信を行っている場合に端末装置１１００に表示される配信データを示すものである。図１４及び図１５において、図１３に示す配信データのニュース情報＃１２０１がニュース情報＃１３０１、＃１４０１として表示され、図１３に示す配信データのレストラン情報＃１２０２がレストラン情報＃１３０２、＃１４０２として表示される。図１４より、セル＃３１１が横浜エリアである場合において、セル＃３１１内の北緯（Ｎ）「３５Ｎ２７」及び東経（Ｅ）「１３９Ｅ３７」にて通信を行う端末装置１１００には、横浜に関連するニュース情報＃１３０１及び横浜のレストラン情報＃１３０２が優先度の高い情報として優先的に表示されるとともに、優先的に表示される横浜のレストラン情報＃１３０２において、さらに北緯（Ｎ）「３５Ｎ２７」及び東経（Ｅ）「１３９Ｅ３７」のレストランが優先度の高い情報として優先的に表示される。また、図１５より、セル＃３１１内の北緯（Ｎ）「３５Ｎ２８」及び東経（Ｅ）「１３９Ｅ３８」にて通信を行う端末装置１１００には、横浜に関連するニュース情報＃１４０１及び横浜のレストラン情報＃１４０２が優先度の高い情報として優先的に表示されるとともに、優先的に表示される横浜のレストラン情報＃１４０２において、さらに北緯（Ｎ）「３５Ｎ２８」及び東経（Ｅ）「１３９Ｅ３８」のレストランが優先度の高い情報として優先的に表示される。
【００４３】
このように、本実施の形態２によれば、上記実施の形態１の効果に加えて、緯度情報及
び経度情報を用いてさらに細かな優先順位を設けることができるので、ユーザは必要な情報をさらに迅速に探すことができる。
【００４４】
なお、本実施の形態２において、データソート部１１０１にて配信データを並べる際に用いる位置情報は緯度及び経度を用いることとしたが、これに限らず、コンテンツの情報と関係付ける位置情報と同一の位置情報とすることを条件に郵便番号等の任意の位置情報を用いることが可能である。
【００４５】
（実施の形態３）
図１６は、本発明の実施の形態３に係る端末装置１５００の構成を示すブロック図である。
【００４６】
本実施の形態３に係る端末装置１５００は、図２に示す実施の形態１に係る端末装置１００において、図１６に示すように、伝送状況監視部１５０１及びセルＩＤ記憶部１５０３を追加し、セルＩＤ抽出部１０４の代わりにセルＩＤ抽出部１５０２を有し、データソート部１０６の代わりにデータソート部１５０４を有する。なお、図１６においては、図２と同一構成である部分には同一の符号を付してその説明は省略する。また、本発明の実施の形態３に係る配信サーバーの構成は図３と同一構成であるので、その説明は省略する。
【００４７】
伝送状況監視部１５０１は、制御データ受信部１０３から入力した受信信号より受信信号強度を測定し、測定結果をセルＩＤ記憶部１５０３へ出力する。
【００４８】
セルＩＤ抽出部１５０２は、制御データ受信部１０３から入力した制御情報より、現在端末装置１５００が通信を行っている自セルのセルＩＤを含む現在受信可能な全てのセルＩＤを抽出して、抽出したセルＩＤの情報であるセルＩＤ情報をセルＩＤ記憶部１５０３へ出力する。
【００４９】
セルＩＤ記憶部１５０３は、セルＩＤ抽出部１５０２から入力した抽出されたセルＩＤの情報と伝送状況監視部１５０１から入力した測定結果とを用いて、セルＩＤと受信信号強度とを関係付けてデータソート用情報とするとともに、データソート用情報を保存したテーブルを記憶する。
【００５０】
データソート部１５０４は、データ受信部から入力した配信データに含まれるセルＩＤの情報を用いて、セルＩＤ記憶部１５０３に記憶されているデータソート用情報を参照して受信信号強度が大きいセルＩＤと関係付けられている配信データほど優先度が高くなるように配信データを並べる。
【００５１】
次に、端末装置１５００の動作について、図１７及び図１８を用いて説明する。図１７は、端末装置１５００の動作を示すフロー図であり、図１８は、データソート用情報を示す図である。
【００５２】
最初に、端末装置１５００は受信動作を開始して、例えば図５のような配信データにおいて、図７に示すレストラン情報の配信データを１件読み込み（ステップＳＴ１６０１）、データ受信部１０５は配信データを抽出する。それと同時に、制御データ受信部１０３は、制御情報を抽出する。次に、セルＩＤ抽出部１５０２は、自分が通信を行っているセルのセルＩＤを含む現在受信可能な全てのセルのセルＩＤを抽出するとともに、伝送状況監視部１５０１は、受信信号強度を測定して伝送状況を監視する（ステップＳＴ１６０２）。
【００５３】
次に、セルＩＤ記憶部１５０３は、データソート用情報であるセルＩＤ対応表を更新する（ステップＳＴ１６０３）。セルＩＤ対応表は、例えば図１８に示すものであり、セルＩＤ抽出部１５０２にて抽出されたセルＩＤ「０ｘ０Ａ」、「０ｘ０Ｂ」、「０ｘ０Ｃ」と各セルＩＤの受信信号強度を更新する。図１８において、セルＩＤ「０ｘ０Ｂ」の受信信号強度は３８ｄＢであり、セルＩＤ「０ｘ０Ａ」の受信信号強度は３６ｄＢであり、セルＩＤ「０ｘ０Ｃ」の受信信号強度は３５ｄＢである。この場合、セルＩＤ「０ｘ０Ｂ」が最も受信信号強度が大きいので、端末装置１５００はセルＩＤ「０ｘ０Ｂ」のセルにて通信を行っている。また、セルＩＤ「０ｘ０Ａ」のセル及びセルＩＤ「０ｘ０Ｃ」のセルは、セルＩＤ「０ｘ０Ｂ」のセルに隣接しているセルであり、端末装置１５００はセルＩＤ「０ｘ０Ａ」のセル及びセルＩＤ「０ｘ０Ｃ」のセルからの信号も同時に受信している。
【００５４】
次に、データソート部１５０４は、受信信号強度が大きいセルＩＤに関係付けられている配信データほど優先度が高くなるような優先順位を付与して配信データを並べる（ステップＳＴ１６０４）。次に、データフォーマット部１０７は、配信データを表示するための所定のフォーマットに変換し、表示部１０８は、配信データを表示する（ステップＳＴ１６０５）。配信データを表示する際には、図１０及び図１１に示すように、優先度の高い情報から優先度が低くなるにつれて各項目の先頭から下に順次表示する方法、または優先度の高い情報のみを表示する方法等の任意の方法を用いることが可能である。
【００５５】
次に、端末装置１５００は、配信データの受信処理を終了するか否かを判定する（ステップＳＴ１６０６）。受信処理を終了しない場合には、ステップＳＴ１６０１〜ステップＳＴ１６０５の処理を繰り返す。一方、受信処理を終了する場合には、配信データの受信は行わない。
【００５６】
このように、本実施の形態３によれば、現在通信を行っているセルのセルＩＤと受信信号強度とを関係付けて記憶したデータソート用情報を参照して配信データを並べて表示することにより、配信側にて配信データを編集せずに端末装置にて配信データを編集することができるので、コストを低減することができる。また、本実施の形態３によれば、セルＩＤ及び受信信号強度を用いて端末装置が自動的に配信データを並べて表示するので、ユーザは最も必要な配信データを迅速に探すことができる。また、本実施の形態３によれば、セルＩＤ抽出部１５０２にて抽出したセルＩＤと配信データに関係付けられているセルＩＤとを比較することなく受信信号強度を用いて配信データを並べることができるので、自セルのセルＩＤと配信データに含まれるセルＩＤの情報のセルＩＤとを比較する処理が不要になって、処理負荷を軽減することができる。
【００５７】
なお、本実施の形態３において、データソート用情報はセルＩＤと受信信号強度とが関係付けられたものとしたが、これに限らず、セルＩＤと伝送エラー率とを関係付ける等の任意のパラメータとセルＩＤとを関係付けてデータソート用情報とすることが可能である。
【００５８】
（実施の形態４）
図１９は、本発明の実施の形態４に係る端末装置１８００の構成を示すブロック図である。
【００５９】
本実施の形態４に係る端末装置１８００は、図２に示す実施の形態１に係る端末装置１００において、図１９に示すように、表示切替部１８０１を追加する。なお、図１９においては、図２と同一構成である部分には同一の符号を付してその説明は省略する。また、本実施の形態４に係る配信サーバーは図３と同一構成であるので、その説明は省略する。
【００６０】
表示切替部１８０１は、例えば切り替えスイッチであり、ユーザの切り替え操作により、データフォーマット部１０７から入力した配信データの全部を表示する全部表示モードと、優先度がしきい値以上である配信データのみを表示する一部表示モードとを切り替えて表示するように表示部１０８を制御する。また、表示切替部１８０１は、一部表示モードにおいて、優先度がしきい値以上の配信データを表示するように制御する場合に限らず、優先度が最も高い配信データのみを表示するように制御することも可能である。
【００６１】
表示部１０８は、表示切替部１８０１の制御に基づいて、データフォーマット部１０７から入力した配信データを全部表示する場合と、データフォーマット部１０７から入力した配信データの内の優先度がしきい値以上である配信データ（例えば、優先度「高」の配信データと優先度「中」の配信データ）のみを表示する場合とを切り替えて表示する。また、表示部１０８は、一部表示モードが優先度が最も高い配信データのみを表示するものである場合には、表示切替部１８０１の制御に基づいて、データフォーマット部１０７から入力した配信データを全部表示する場合と、データフォーマット部１０７から入力した配信データの内の優先度が最も高い配信データ（例えば、優先度「高」の配信データ）のみを表示する場合とを切り替えて表示する。
【００６２】
図２０は、一部表示モードの場合の表示部１０８における表示を示すものであり、図２１は、全部表示モードの場合の表示部１０８における表示を示すものである。例えば、ユーザが図２０に示すように受信した配信データの一部のみを表示させて閲覧している最中に、受信した配信データの全部を閲覧したい場合には、表示切替部１８０１を操作することにより図２１に示すように受信した配信データの全部を表示させることができる。なお、端末装置１８００の動作は、図６のステップＳＴ５０９において受信した配信データの全部を表示する場合と受信した配信データの一部を表示する場合とを切り替えて表示する以外は図６と同一であるので、その説明は省略する。
【００６３】
このように、本実施の形態４によれば、上記実施の形態１の効果に加えて、受信した配信データの全部を表示する場合と受信した配信データの一部を表示する場合とを切り替えて表示するので、ユーザが優先度の高い配信データのみを閲覧したい場合には、余計な配信データが表示されないことによりユーザが必要な情報を迅速に探すことができるとともに、ユーザの要望により全ての配信データを閲覧することも可能であり、配信データを閲覧容易に表示することができる。
【００６４】
（実施の形態５）
図２２は、本発明の実施の形態５に係る端末装置２１００の構成を示すブロック図である。
【００６５】
本実施の形態５に係る端末装置２１００は、図２に示す実施の形態１に係る端末装置１００において、図２２に示すように、チャンネル選択部２１０１を追加する。なお、図２２においては、図２と同一構成である部分には同一の符号を付してその説明は省略する。
【００６６】
セルＩＤ抽出部１０４は、制御データ受信部１０３から入力した制御情報より、現在端末装置２１００が通信を行っている自セルのセルＩＤを抽出して、抽出したセルＩＤの情報であるセルＩＤ情報をデータソート部１０６及びチャンネル選択部２１０１へ出力する。
【００６７】
データ受信部１０５は、無線受信部１０２から入力した受信信号から配信データを抽出してデータソート部１０６へ出力する。データ受信部１０５にて抽出された配信データは、放送番組を選択するための番組選択メニューの情報及び各放送番組のデータである。各番組選択メニューの情報には、放送番組のデータが配信されるチャンネルの情報であるチ
ャンネル情報とセルＩＤの情報とが含まれており、複数の番組選択メニューにより番組案内情報が構成される。また、各放送番組のデータは、放送番組毎に異なるチャンネルの受信信号として受信される。
【００６８】
データソート部１０６は、データ受信部１０５から入力した番組案内情報の各番組選択メニューに含まれているセルＩＤとセルＩＤ抽出部１０４から入力したセルＩＤとを比較する。そして、データソート部１０６は、比較結果に基づいて、データ受信部１０５から入力した番組案内情報内にて各番組選択メニューを並べる。そして、データソート部１０６は、番組選択メニューを並べた番組案内情報及び各放送番組のデータをチャンネル選択部２１０１へ出力する。具体的には、現在通信を行っている自セルのセルＩＤを含む番組選択メニューがあるか否かを判定するとともに、各番組選択メニューに含まれているセルＩＤと自セルのセルＩＤとの差を求め、求めた差としきい値とを比較して、各番組選択メニューの優先度を決めて各番組選択メニューを並べて各放送番組のデータとともにチャンネル選択部２１０１へ出力する。なお、自セルのセルＩＤを含む番組選択メニューのみしか並べない場合にはしきい値情報は不要である。
【００６９】
チャンネル選択部２１０１は、データソート部１０６から入力した番組案内情報及びＩＤ抽出部１０４から入力したセルＩＤの情報に基づいて、チャンネルを選択する。具体的には、チャンネル選択部２１０１は、自セルのセルＩＤの情報を含む番組選択メニューに含まれるチャンネル情報のチャンネルを選択する。そして、チャンネル選択部２１０１は、選択したチャンネルの情報及びデータソート部１０６から入力した番組案内情報をデータフォーマット部１０７へ出力する。
【００７０】
表示部１０８は、データフォーマット部１０７から入力した番組案内情報を表示する。また、表示部１０８は、データフォーマット部１０７から入力したチャンネル選択部２１０１にて選択されたチャンネルの情報より、選択されたチャンネルを用いて配信された放送番組のデータを番組案内情報と同時に表示する。
【００７１】
次に、配信データを受信した端末装置２１００の動作について、図２３及び図２４を用いて説明する。図２３は、端末装置２１００に表示される配信データを示す図であり、図２４は、端末装置２１００が受信する配信データの番組案内情報を示す図である。
【００７２】
番組案内情報は、図２３に示すように、例えばニュース情報＃２２０１及びレストラン情報＃２２０２である。ニュース情報＃２２０１において、１行目の「東京学園甲子園出場」の番組選択メニューの情報には、「０ｘ０Ｄ」のセルＩＤの情報＃２２０３ａと「ＣＨ＝゛００１″」のチャンネル情報＃２２０４ａとが含まれ、２行目の「都知事会見」の番組選択メニューの情報には、「０ｘ０Ｄ」のセルＩＤの情報＃２２０３ｂと「ＣＨ＝゛００１″」のチャンネル情報＃２２０４ｂとが含まれ、３行目の「横浜学院甲子園出場」の番組選択メニューの情報には、「０ｘ０Ａ」、「０ｘ０Ｂ」及び「０ｘ０Ｃ」のセルＩＤの情報＃２２０３ｃと「ＣＨ＝゛００２″」のチャンネル情報＃２２０４ｃとが含まれ、４行目の「県知事会見」の番組選択メニューの情報には、「０ｘ０Ａ」、「０ｘ０Ｂ」及び「０ｘ０Ｃ」のセルＩＤの情報＃２２０３ｄと「ＣＨ＝゛００２″」のチャンネル情報＃２２０４ｄとが含まれるとともに、５行目の「衆議院開票速報」の番組選択メニューには、「＊」の表示により全てのセルＩＤの情報＃２２０３ｅと「ＣＨ＝゛０００″」のチャンネル情報＃２２０４ｅとが含まれている。
【００７３】
データソート部１０６は、各優先度に基づいて配信データを並べる。例えば、セルＩＤが「０ｘ０Ｂ」である横浜エリアのセル＃３１１にて通信を行っている端末装置２１００が、図２３のニュース情報＃２２０１を受け取った場合には、データソート部１０６は、「０ｘ０Ｂ」のセルＩＤを含む「横浜学院甲子園出場」及び「県知事会見」の番組選択メ
ニューの情報を選択して優先度「高」として先頭に並べる。
【００７４】
次に、データソート部１０６は、全てのセルＩＤを含む「衆議院開票速報」の番組選択メニューの情報を次に優先度が高いものとして、「横浜学院甲子園出場」及び「県知事会見」の番組選択メニューの情報の次に並べる。
【００７５】
次に、データソート部１０６は、セルＩＤ間の減算を行うことにより、ニュース情報＃２２０１において、横浜エリアのセルから最も遠い東京エリアのセルのセルＩＤ「０ｘ０Ｄ」を含む「東京学園甲子園出場」及び「都知事会見」の番組選択メニューの情報を、「衆議院開票速報」の番組選択メニューの情報の次に並べる。
【００７６】
さらに、チャンネル選択部２１０１は、「０ｘ０Ｂ」のセルＩＤを含む「横浜学院甲子園出場」及び「県知事会見」の何れか一方の番組を放送するチャンネル００２を選択する。
【００７７】
次に、表示部１０８は、図２４に示すように、画面下部＃２３０１に表示される番組案内情報において、横浜エリアのセルにおける「横浜学院甲子園出場」の番組選択メニューの情報＃２３０３ａを先頭に表示するとともに「県知事会見」の番組選択メニューの情報＃２３０３ｂを番組選択メニューの情報＃２３０３ａの次に表示し、全てのセルに共通の「衆議院開票速報」の番組選択メニューの情報＃２３０３ｃを番組選択メニューの情報＃２３０３ｂの次に表示し、東京エリアのセルの「東京学園甲子園出場」の番組選択メニューの情報＃２３０３ｄを番組選択メニューの情報＃２３０３ｃの次に表示するとともに、「都知事会見」の番組選択メニューの情報＃２３０３ｅを番組選択メニューの情報＃２３０３ｄの次に表示する。さらに、表示部１０８は、図２４に示すように、画面上部＃２３０２にて、チャンネル選択部２１０１にて選択されたチャンネルを用いて配信された放送番組データの「横浜学院甲子園出場」を表示する。
【００７８】
そして、端末装置２１００のユーザが、下部画面＃２３０１に表示されている番組選択メニューの情報の下線部を選択（クリック）することによって、選択した放送番組のデータが表示部１０８の上部画面＃２３０２に表示される。なお、レストラン情報＃２２０２においても上記のニュース情報＃２２０１と同様の処理を行うものであり、その説明は省略する。
【００７９】
このように、本実施の形態５によれば、上記実施の形態１の効果に加えて、自セルのセルＩＤを含む番組選択メニューに含まれているチャンネル情報のチャンネルを選択するとともに、番組案内情報の表示と選択したチャンネルを用いて配信された放送番組の表示とを同時に行うので、ユーザが放送番組を選択するまでの時間において、放送番組が何も表示されない状態をなくすることができる。また、本実施の形態５によれば、自セルのセルＩＤを含む番組選択メニューの情報に含まれるチャンネル情報のチャンネルにて配信される放送番組を最初に表示するので、ユーザは最も必要な放送番組を迅速に閲覧することができる。
【００８０】
なお、本実施の形態５において、自セルのセルＩＤを含む番組選択メニューに含まれるチャンネル情報のチャンネルを選択することとしたが、これに限らず、自セル以外の他セルのセルＩＤを含む番組選択メニューに含まれるチャンネル情報のチャンネルを選択して最初に放送するようにしても良い。また、本実施の形態５は、実施の形態２〜実施の形態４に適用することが可能である。
【００８１】
（実施の形態６）
図２５は、本発明の実施の形態６に係る端末装置１００の構成を示すブロック図である
。
【００８２】
本実施の形態６に係る端末装置２５００は、図２に示す実施の形態１に係る端末装置１００において、図２５に示すように、セルＩＤ抽出部１０４を除き、ネットワークエリアＩＤ抽出部２５０１を追加する。なお、図２５においては、図２と同一構成である部分には同一の符号を付してその説明は省略する。
【００８３】
制御データ受信部１０３は、無線受信部１０２から入力した受信信号からアプリケーションデータ以外の全ての制御情報を抽出してネットワークエリアＩＤ抽出部２５０１へ出力する。
【００８４】
ネットワークエリアＩＤ抽出部２５０１は、制御データ受信部１０３から入力した制御情報より、現在端末装置２５００（自局）が属するネットワークエリアのネットワークエリアＩＤ（セル情報）を抽出して、抽出したネットワークエリアＩＤの情報であるネットワークエリアＩＤ情報をデータソート部１０６へ出力する。ここで、ネットワークエリアとは、複数のセルにて特定される領域である。また、ネットワークエリアＩＤとは、ネットワークエリアを識別するＩＤであり、ネットワークエリア毎に異なる数値を示すように数値化されているとともに、ネットワークエリアに属する複数のセルと関係付けられている１つの論理的なＩＤである。
【００８５】
データソート部１０６は、データ受信部１０５から入力した配信データに含まれるネットワークエリアＩＤとネットワークエリアＩＤ抽出部２４０１から入力したネットワークエリアＩＤとを比較する。そして、データソート部１０６は、比較結果に基づいて、データ受信部１０５から入力した配信データを並べてデータフォーマット部１０７へ出力する。具体的には、端末装置２５００が属するネットワークエリアのネットワークエリアＩＤを含む配信データがあるか否かを判定するとともに、配信データに含まれているネットワークエリアＩＤと、端末装置２５００が属するネットワークエリアのネットワークエリアＩＤとの差を求め、求めた差としきい値とを比較して、各配信データの優先度を決めて配信データを並べる。なお、端末装置２５００が属するネットワークエリアのネットワークエリアＩＤを含む配信データのみを並べる場合には、しきい値情報は不要である。
【００８６】
次に、配信サーバー２６００の構成について、図２６を用いて説明する。図２６は、配信サーバー２６００の構成を示すブロック図である。
【００８７】
本実施の形態６に係る配信サーバー２６００は、図３に示す実施の形態１に係る配信サーバー２００において、図２６に示すように、セルＩＤ付与部２０３を除き、ネットワークエリアＩＤ付与部２６０１を追加する。なお、図２６においては、図３と同一構成である部分には同一の符号を付してその説明は省略する。
【００８８】
コンテンツ読込部２０１は、コンテンツ（文書、画像及び音声などのマルチメディアデータ）を読み込んでネットワークエリアＩＤ付与部２６０１へ出力する。ここで、コンテンツは、位置情報である緯度及び経度と関係付けられた任意の情報を複数含んでおり、例えば、店と店が所在する緯度及び経度とが関係付けられた情報、または地域ニュースとその地域の緯度及び経度とが関係付けられた情報からなる。
【００８９】
地理情報記憶部２０２は、ネットワークエリアＩＤと緯度及び経度の範囲とを関係付けた変換情報を保存したテーブル、または緯度及び経度よりネットワークエリアＩＤを求めることができる計算式を記憶している。
【００９０】
ネットワークエリアＩＤ付与部２６０１は、コンテンツ読込部２０１から入力したコン
テンツより緯度情報及び経度情報を参照する。そして。ネットワークエリアＩＤ付与部２６０１は、参照した緯度情報及び経度情報を用いて、地理情報記憶部２０２に記憶されている変換情報を参照するかまたは計算式にて計算することによりネットワークエリアＩＤを選択する。続いて、ネットワークエリアＩＤ付与部２６０１は、各コンテンツの内容毎に選択したネットワークエリアＩＤを各コンテンツに含めて送信部２０４へ出力する。
【００９１】
送信部２０４は、ネットワークエリアＩＤ付与部２６０１から入力したコンテンツを配信データとして送信する。
【００９２】
図２７は、各セルとネットワークエリアとの関係を示す図である。ネットワークエリア＃２７０１は、複数のセル＃２７０２、＃２７０３、＃２７０４、＃２７０５から構成される。図２７では、端末装置２５００は、セル＃２７０３にて基地局装置２７０６と通信を行っているが、ネットワークエリア＃２７０１に関する配信情報、即ちセル＃２７０２、＃２７０３、＃２７０４、＃２７０５に関する配信情報を優先度が高い情報として表示することができる。なお、配信データを受信した端末装置２５００の動作及び端末装置２５００における配信データの表示方法は、セルＩＤの代わりにネットワークエリアＩＤを用いる以外は、図６〜図１１と同一であるので、その説明は省略する。
【００９３】
このように、本実施の形態６によれば、端末装置が属するネットワークエリア＃２７０１のネットワークエリアＩＤと、各配信データに含まれるネットワークエリアＩＤとの比較結果に基づいて、配信データを並べて表示することにより、配信側にて配信データを編集せずに端末装置にて配信データを編集することができるので、コストを低減することができる。また、本実施の形態６によれば、ネットワークエリアＩＤを用いて端末装置が自動的に配信データを並べて表示するので、ユーザは最も必要な配信データを迅速に探すことができる。また、本実施の形態６によれば、ネットワークエリア＃２７０１に含まれない任意のセルのセルＩＤと関係付けられた配信データをユーザの選択により優先度が高いものとして表示する場合には、ネットワークエリア＃２７０１以外の任意の場所に関連した配信データを迅速に探すことができる。また、本実施の形態６によれば、自セル＃２７０３に近い、ネットワークエリア＃２７０１内の配信データを最も優先度が高い配信データとして表示するので、自セル＃２７０３の近くのセル＃２７０２、＃２７０４、＃２７０５の配信データを閲覧者は迅速に探すことができる。また、本実施の形態６によれば、ネットワークエリア＃２７０１のネットワークエリアＩＤをセルＩＤに相当するものとして用いることにより、セルよりも広い地域に対応付けられた配信情報を表示することができる。
【００９４】
なお、本実施の形態６において、ネットワークエリアは４つのセルから構成されることとしたが、これに限らず、ネットワークエリアを構成するセルの数は任意に決めることができる。また、本実施の形態６は、上記実施の形態２〜実施の形態５にも適用することができる。
【００９５】
上記実施の形態１〜実施の形態６において、セルＩＤまたはネットワークエリアＩＤを用いて配信データを並べることとしたが、これに限らず、郵便番号等の任意の位置情報を用いて配信データを並べることができる。また、上記実施の形態１〜実施の形態６において、配信データをＨＴＭＬ形式に変換して表示することとしたが、これに限らず、配信データは表示可能な任意の形式に変換可能である。なお、上記実施の形態１〜実施の形態６において、コンテンツと関係付けられる位置情報は緯度及び経度を用いることとしたが、これに限らず、郵便番号等の任意の位置情報を用いることが可能である。また、上記実施の形態１〜実施の形態６において、配信データにはＦＬＵＴＥ（File Delivery over Unidirectional Transport）を用いて伝送してもよく、例えばＦＬＵＴＥで規定されたフィールドを利用したり拡張したりすることによりセル情報を記述できる。ここで、ＦＬＵＴ
Ｅとは、ＩＥＴＦで審議中のファイル転送方式であり、メタデータを送信するのに好適な方式である。また、上記実施の形態１〜実施の形態６において、配信データにはレイアウト情報を含んでもよい。レイアウト情報とは、コンテンツをどのように配置及び表示するかを指定する制御情報であり、例えばＳＭＩＬ（Synchronized Multimedia Integration Language）を用いることができる。ＳＭＩＬとはＷ３Ｃ（The World Wide Web Consortium）で勧告されたレイアウト記述方式である。ＳＭＩＬレイアウト中にセルＩＤを指定して、レイアウト又は表示コンテンツを関連付けることができる。
【００９６】
本明細書は、２００４年２月５日出願の特願２００４−２９６２４に基づく。この内容はすべてここに含めておく。
【産業上の利用可能性】
【００９７】
本発明にかかる端末装置及び受信データ表示方法は、配信側にて配信データを編集せずに端末装置にて配信データを編集することにより、コストを低減することができるとともに必要な情報を迅速に探す効果を有し、配信されたデータを表示させるのに有用である。
【図面の簡単な説明】
【００９８】
【図１】従来の配信サーバーの構成を示すブロック図
【図２】本発明の実施の形態１に係る端末装置の構成を示すブロック図
【図３】本発明の実施の形態１に係る配信サーバーの構成を示すブロック図
【図４】ネットワークを示す模式図
【図５】本発明の実施の形態１に係る配信データを示す図
【図６】本発明の実施の形態１に係る端末装置の動作を示すフロー図
【図７】本発明の実施の形態１に係る配信データを示す図
【図８】本発明の実施の形態１に係る配信データを示す図
【図９】本発明の実施の形態１に係る配信データを示す図
【図１０】本発明の実施の形態１に係る端末装置の表示部の表示を示す図
【図１１】本発明の実施の形態１に係る端末装置の表示部の表示を示す図
【図１２】本発明の実施の形態２に係る端末装置の構成を示すブロック図
【図１３】本発明の実施の形態２に係る配信データを示す図
【図１４】本発明の実施の形態２に係る端末装置の表示部の表示を示す図
【図１５】本発明の実施の形態２に係る端末装置の表示部の表示を示す図
【図１６】本発明の実施の形態３に係る端末装置の構成を示すブロック図
【図１７】本発明の実施の形態３に係る端末装置の動作を示すフロー図
【図１８】本発明の実施の形態３に係るデータソート用情報を示す図
【図１９】本発明の実施の形態４に係る端末装置の構成を示すブロック図
【図２０】本発明の実施の形態４に係る端末装置の表示部の表示を示す図
【図２１】本発明の実施の形態４に係る端末装置の表示部の表示を示す図
【図２２】本発明の実施の形態５に係る端末装置の構成を示すブロック図
【図２３】本発明の実施の形態５に係る配信データを示す図
【図２４】本発明の実施の形態５に係る端末装置の表示部の表示を示す図
【図２５】本発明の実施の形態６に係る端末装置の構成を示すブロック図
【図２６】本発明の実施の形態６に係る配信サーバーの構成を示すブロック図
【図２７】ネットワークエリアとセルとの関係を示す図
【手続補正３】
【補正対象書類名】図面
【補正対象項目名】全図
【補正方法】変更
【補正の内容】
【図１】
2005076499.tif 000029
【図２】
2005076499.tif 000030
【図３】
2005076499.tif 000031
【図４】
2005076499.tif 000032
【図５】
2005076499.tif 000033
【図６】
2005076499.tif 000034
【図７】
2005076499.tif 000035
【図８】
2005076499.tif 000036
【図９】
2005076499.tif 000037
【図１０】
2005076499.tif 000038
【図１１】
2005076499.tif 000039
【図１２】
2005076499.tif 000040
【図１３】
2005076499.tif 000041
【図１４】
2005076499.tif 000042
【図１５】
2005076499.tif 000043
【図１６】
2005076499.tif 000044
【図１７】
2005076499.tif 000045
【図１８】
2005076499.tif 000046
【図１９】
2005076499.tif 000047
【図２０】
2005076499.tif 000048
【図２１】
2005076499.tif 000049
【図２２】
2005076499.tif 000050
【図２３】
2005076499.tif 000051
【図２４】
2005076499.tif 000052
【図２５】
2005076499.tif 000053
【図２６】
2005076499.tif 000054
【図２７】
2005076499.tif 000055
【国際調査報告】
2005076499.tif 000056
2005076499.tif 000057
2005076499.tif 000058
2005076499.tif 000059